(57)【特許請求の範囲】
【請求項１】
デバイスであって、
基地局からのシグナリングを受信するように構成されるシグナリング受信ユニットであって、前記シグナリングは、サイクリックシフト値を算出するためのNcs値を示すターゲットNcsインデックスを搬送する、シグナリング受信ユニットと、
NcsインデックスのセットとNcs値のセットとの間のあらかじめ設定された対応関係及び前記ターゲットNcsインデックスにしたがって、前記ターゲットNcsインデックスが示す前記Ncs値を取得し、Ncs値の前記セットは、{15,18,22,26,32,38,46,55,68,82,100,118,137}を含み、
前記ターゲットNcsインデックスが示す前記Ncs値に基づいて、前記サイクリックシフト値を算出し、
第1の論理ルートシーケンス番号を取得し、
前記第1の論理ルートシーケンス番号に基づいて、ルートシーケンスを決定し、そして、
前記ルートシーケンス及び前記サイクリックシフト値に基づいて、ランダムアクセスプリアンブルシーケンスを生成する、ように構成される処理ユニットと、を含む、
デバイス。
【請求項２】
Ncsインデックスの前記セットとNcs値の前記セットとの間の前記あらかじめ設定された対応関係は、
【表６】
0006882460.tif 000014
を含む、請求項1に記載のデバイス。
【請求項３】
Ncsインデックスの前記セットとNcs値の前記セットとの間の前記あらかじめ設定された対応関係を格納するように構成される記憶ユニットをさらに含む、請求項1乃至2のうちのいずれか1項に記載のデバイス。
【請求項４】
前記シグナリング受信ユニットは、システム情報及び/又はモバイル制御情報を受信するように構成され、前記システム情報及び/又は前記モバイル制御情報は、前記シグナリングを含む、請求項1乃至3のうちのいずれか1項に記載のデバイス。
【請求項５】
前記ランダムアクセスプリアンブルシーケンスは、xu,v(n)であり、
【数８】
0006882460.tif 000015
であり、Cvは、前記サイクリックシフト値であり、uは、物理ルートシーケンス番号である、請求項1乃至4のうちのいずれか1項に記載のデバイス。
【請求項６】
NZC＝839又はNZC＝139である、請求項5に記載のデバイス。
【請求項７】
前記シグナリングは、前記第1の論理ルートシーケンス番号を搬送する、請求項1乃至6のうちのいずれか1項に記載のデバイス。
【請求項８】
前記処理ユニットは、前記シグナリング受信ユニットが受信する前記シグナリングにしたがって、サイクリックシフト値を算出する解決方法を決定するように構成される、請求項1乃至7のうちのいずれか1項に記載のデバイス。
【請求項９】
ランダムアクセス方法であって、
基地局からのシグナリングを受信するステップであって、前記シグナリングは、サイクリックシフト値を算出するためのNcs値を示すターゲットNcsインデックスを搬送する、ステップと、
NcsインデックスのセットとNcs値のセットとの間のあらかじめ設定された対応関係及び前記ターゲットNcsインデックスにしたがって、前記ターゲットNcsインデックスが示す前記Ncs値を取得するステップであって、Ncs値の前記セットは、{15,18,22,26,32,38,46,55,68,82,100,118,137}を含む、ステップと、
前記ターゲットNcsインデックスが示す前記Ncs値に基づいて、前記サイクリックシフト値を算出するステップと、
第1の論理ルートシーケンス番号を取得するステップと、
前記第1の論理ルートシーケンス番号に基づいて、ルートシーケンスを決定するステップと、
前記ルートシーケンス及び前記サイクリックシフト値に基づいて、ランダムアクセスプリアンブルシーケンスを生成するステップと、を含む、
方法。
【請求項１０】
Ncsインデックスの前記セットとNcs値の前記セットとの間の前記あらかじめ設定された対応関係は、
【表７】
0006882460.tif 000016
を含む、請求項9に記載の方法。
【請求項１１】
Ncsインデックスの前記セットとNcs値の前記セットとの間の前記あらかじめ設定された対応関係を格納するステップをさらに含む、請求項9乃至10のうちのいずれか1項に記載の方法。
【請求項１２】
システム情報及び/又はモバイル制御情報を受信するステップを含み、前記システム情報及び/又は前記モバイル制御情報は、前記シグナリングを含む、請求項9乃至11のうちのいずれか1項に記載の方法。
【請求項１３】
前記ランダムアクセスプリアンブルシーケンスは、xu,v(n)であり、
【数９】
0006882460.tif 000017
であり、Cvは、前記サイクリックシフト値であり、uは、物理ルートシーケンス番号である、請求項9乃至12のうちのいずれか1項に記載の方法。
【請求項１４】
NZC＝839又はNZC＝139である、請求項13に記載の方法。
【請求項１５】
前記シグナリングは、前記第1の論理ルートシーケンス番号を搬送する、請求項9乃至14のうちのいずれか1項に記載の方法。
【請求項１６】
前記シグナリングにしたがって、サイクリックシフト値を算出する解決方法を決定するステップをさらに含む、請求項9乃至13のうちのいずれか1項に記載の方法。
【請求項１７】
ランダムアクセス方法であって、
NcsインデックスのセットとNcs値のセットとの間のあらかじめ設定された対応関係に基づいて、サイクリックシフト値を算出するためのNcs値を示すターゲットNcsインデックスを決定するステップであって、Ncs値の前記セットは、{15,18,22,26,32,38,46,55,68,82,100,118,137}を含む、ステップと、
ユーザ機器(UE)にシグナリングを送るステップであって、前記シグナリングは、前記ターゲットNcsインデックスを搬送する、ステップと、を含むみ、
前記UEは、前記シグナリングを受信し、前記ターゲットNcsインデックスにしたがって、前記ターゲットNcsインデックスが示す前記Ncs値を取得し、前記ターゲットNcsインデックスが示す前記Ncs値に基づいて、前記サイクリックシフト値を算出し、第1の論理ルートシーケンス番号を取得し、前記第1の論理ルートシーケンス番号に基づいて、ルートシーケンスを決定し、そして、前記ルートシーケンス及び前記サイクリックシフト値に基づいて、ランダムアクセスプリアンブルシーケンスを生成する、ように構成される、
方法。
【請求項１８】
Ncsインデックスの前記セットとNcs値の前記セットとの間の前記あらかじめ設定された対応関係は、
【表８】
0006882460.tif 000018
を含む、請求項17に記載の方法。
【請求項１９】
Ncsインデックスの前記セットとNcs値の前記セットとの間の前記あらかじめ設定された対応関係を格納するステップを含む、請求項17乃至18のうちのいずれか1項に記載の方法。
【請求項２０】
システム情報及び/又はモバイル制御情報を送るステップを含み、前記システム情報及び/又は前記モバイル制御情報は、前記シグナリングを含む、請求項17乃至19のうちのいずれか1項に記載の方法。
【請求項２１】
基地局であって、
NcsインデックスのセットとNcs値のセットとの間のあらかじめ設定された対応関係に基づいて、サイクリックシフト値を算出するためのNcs値を示すターゲットNcsインデックスを決定する手段であって、Ncs値の前記セットは、{15,18,22,26,32,38,46,55,68,82,100,118,137}を含む、手段と、
ユーザ機器(UE)にシグナリングを送る手段であって、前記シグナリングは、前記ターゲットNcsインデックスを搬送する、手段と、を含み、
前記UEは、前記シグナリングを受信し、前記ターゲットNcsインデックス及びに前記あらかじめ設定された対応関係したがって、前記ターゲットNcsインデックスが示す前記Ncs値を取得し、前記ターゲットNcsインデックスが示す前記Ncs値に基づいて、前記サイクリックシフト値を算出し、第1の論理ルートシーケンス番号を取得し、前記第1の論理ルートシーケンス番号に基づいて、ルートシーケンスを決定し、そして、前記ルートシーケンス及び前記サイクリックシフト値に基づいて、ランダムアクセスプリアンブルシーケンスを生成する、ように構成される、
基地局。
【請求項２２】
Ncsインデックスの前記セットとNcs値の前記セットとの間の前記あらかじめ設定された対応関係は、
【表９】
0006882460.tif 000019
を含む、請求項21に記載の基地局。
【請求項２３】
Ncsインデックスの前記セットとNcs値の前記セットとの間の前記あらかじめ設定された対応関係を格納する手段を含む、請求項21乃至22のうちのいずれか1項に記載の基地局。
【請求項２４】
システム情報及び/又はモバイル制御情報を送る手段を含み、前記システム情報及び/又は前記モバイル制御情報は、前記シグナリングを含む、請求項21乃至23のうちのいずれか1項に記載の基地局。
【請求項２５】
請求項9乃至16のうちのいずれか1項に記載の方法をコンピュータに実行させるプログラム。
【請求項２６】
請求項17乃至20のうちのいずれか1項に記載の方法をコンピュータに実行させるプログラム。
【請求項２７】
通信システムであって、
基地局及びユーザ機器を含み、前記基地局は、前記ユーザ機器と通信し、
前記基地局は、請求項17乃至20のうちのいずれか1項に記載の方法を実行し、前記ユーザ機器は、請求項9乃至16のうちのいずれか1項に記載の方法を実行する、
通信システム。
【発明の詳細な説明】
【技術分野】
【０００１】
本発明は、通信技術の分野に関し、特に、ランダムアクセスプリアンブルシーケンス生成方法及びユーザ機器に関する。
【背景技術】
【０００２】
ランダムアクセスは、ユーザ機器(User  Equipment,  UE)が基地局と通信するアクセス方式である。UEについては、ランダムアクセスの主要なタスクは、ランダムアクセスシーケンスを生成することである。ロングタームエボリューション(Long  Term  Evolution,  LTE)システムの場合には、ランダムアクセスプロセスは、競合ベースのランダムアクセス及び非競合ベースのランダムアクセスの2つのモードを有する。ランダムアクセスプリアンブルシーケンスは、具体的には、基地局が送るとともにそれらのランダムアクセスプリアンブルシーケンスを生成するように指示する通知シグナリングを受信することによって生成される。その通知シグナリングは、論理ルートシーケンス番号、ゼロ相関ゾーン長インデックス(Zero  Correlation  Zone  Config)、又は競合ベースのランダムアクセスプリアンブルシーケンスの数等のパラメータを搬送してもよい。それらのランダムアクセスプリアンブルシーケンスは、通知シグナリングのパラメータ及び既存のランダムアクセスプリアンブルシーケンス生成解決方法を使用することによって生成される。
【０００３】
しかしながら、既存のランダムアクセスプリアンブルシーケンス生成解決方法は、UEが低速である状態又は静止している状態に特有であるとともに、そのUEのドップラーシフトが物理ランダムアクセスチャネル(Physical  Random  Access  Channel,  PRACH)サブキャリア間隔よりも小さい状態に特有である解決方法である。現在のLTEシステムがより高い周波数で動作するとき、又は、UEがより大きな速度で移動するときは、そのUEのドップラーシフトは、そのPRACHサブキャリア間隔よりも大きくなる。既存のランダムアクセスプリアンブルシーケンス生成解決方法を依然として使用する場合には、複数のUEの間での相互の干渉を引き起こすとともに、基地局がランダムアクセスシーケンスを検出するときに、あやふやな検出が発生する。
【発明の概要】
【０００４】
本発明の複数の実施形態は、ランダムアクセスプリアンブルシーケンス生成方法及びユーザ機器を提供し、それによって、UEのドップラーシフトが、PRACHサブキャリア間隔より大きく、かつ、そのPRACHサブキャリア間隔の2倍よりも小さいときに、複数のUEの間の相互の干渉を排除することが可能であるとともに、基地局がランダムアクセスシーケンスを検出するときに、あやふやな検出が発生するという問題を解決することが可能である。
【０００５】
第1の態様によれば、本発明のある1つの実施形態は、ランダムアクセスプリアンブルシーケンス生成方法であって、
ユーザ機器UEが、基地局が送った第1の通知シグナリングを受信するときに、第1の解決方法を使用することによってサイクリックシフト値を算出することを前記UEによって決定するステップと、
前記UEによって第1の論理ルートシーケンス番号を取得し、そして、前記第1の論理ルートシーケンス番号に基づいて、ルートシーケンスを決定するステップと、
前記UEによって、前記ルートシーケンス及び前記サイクリックシフト値に基づいて、ランダムアクセスプリアンブルシーケンスを生成するステップと、を含み、
前記第1の解決方法は、前記UEのドップラーシフトが、第1のあらかじめ設定された値よりも小さく、かつ、第2のあらかじめ設定された値よりも大きいときの前記サイクリックシフト値を算出する解決方法であり、前記第1のあらかじめ設定された値は、物理ランダムアクセスチャネルPRACHサブキャリア間隔の2倍よりも小さく、前記第2のあらかじめ設定された値は、前記PRACHサブキャリア間隔よりも大きく、前記第1のあらかじめ設定された値は、前記第2のあらかじめ設定された値よりも大きい、ランダムアクセスプリアンブルシーケンス生成方法を提供する。
【０００６】
本発明の実施形態の第1の態様においては、第1通知シグナリングを受信したときに、UEのドップラーシフトが、PRACHサブキャリア間隔よりも大きく、かつ、PRACHサブキャリア間隔の2倍より小さい状態に特有の算出の解決方法を使用することによって、サイクリックシフト値を算出することが可能であり、それによって、UEが、サイクリックシフト値及びルートシーケンスに基づいて生成されるランダムアクセスプリアンブルシーケンスを使用することによって、ランダムアクセスを実行するときに、複数のUEの間の相互の干渉を排除し、基地局がランダムアクセスシーケンスを検出するときに、あやふやな検出が発生するという問題を解決する。
【０００７】
第1の態様に関して、第1の態様の第1の実装において、前記第1の通知シグナリングは、ターゲットNcsインデックスを搬送し、UEが、基地局が送った第1の通知シグナリングを受信するときに、第1の解決方法を使用することによってサイクリックシフト値を算出することを前記UEによって決定する前記ステップは、
前記UEが、前記基地局が送った前記第1の通知シグナリングを受信するときに、前記UEによって、NcsインデックスとNcs値との間のあらかじめ設定されたマッピングテーブルに基づいて、前記ターゲットNcsインデックスに対応するターゲットNcs値を取得するステップと、
前記UEによって、前記ターゲットNcs値に基づいて、前記第1の解決方法を使用することによって、前記サイクリックシフト値を算出するステップと、を含む。
【０００８】
本発明のこの実施形態においては、NcsインデックスとNcs値との間のマッピングテーブルの中のNcsインデックスの数及びNcsインデックスの特定の値には、いかなる制限も課されず、また、Ncsインデックスに対応するNcs値にも、いかなる制限も課されない。選択的に、NcsインデックスとNcs値との間の前記マッピングテーブルの中の前記Ncsインデックスに対応する前記Ncs値は、137以下であるか、又は、NcsインデックスとNcs値との間の前記マッピングテーブルの中の前記Ncsインデックスに対応する前記Ncs値は、158以下である。さらに、選択的に、NcsインデックスとNcs値との間のマッピングテーブルの中のNcsインデックスの数は、13以下である。
【０００９】
例えば、NcsインデックスとNcs値との間のマッピングテーブルの中のNcsインデックスの数が13である場合に、例えば、Ncsインデックスが0から12までの整数である場合には、Ncsインデックスに対応するNcs値は、それぞれ、15、18、22、26、32、38、46、55、68、82、100、128、及び137である。
【００１０】
第1の態様及び第1の態様の第1の実装に関して、第1の態様の第2の実装において、前記第1の通知シグナリングは、さらに、高速度フラグビットを搬送し、前記高速度フラグビットは、前記サイクリックシフト値を算出する解決方法を示すのに使用され、UEが、基地局が送った第1の通知シグナリングを受信するときに、第1の解決方法を使用することによってサイクリックシフト値を算出することを前記UEによって決定する前記ステップは、前記UEが、前記基地局が送った前記第1の通知シグナリングを受信するときに、前記高速度フラグビットが第1のあらかじめ設定された識別子である場合には、前記第1の解決方法を使用することによって前記サイクリックシフト値を算出することを前記UEによって決定するステップを含む。
【００１１】
選択的に、前記UEが、前記基地局が送った前記第1の通知シグナリングを受信するときに、前記高速度フラグビットが第2のあらかじめ設定された識別子である場合には、前記UEは、第2の解決方法を使用することによって前記サイクリックシフト値を算出することを決定するか、又は、
前記UEが、前記基地局が送った前記第1の通知シグナリングを受信するときに、前記高速度フラグビットが第3のあらかじめ設定された識別子である場合には、前記UEは、第3の解決方法を使用することによって前記サイクリックシフト値を算出することを決定し、
前記第2の解決方法は、前記UEの前記ドップラーシフトが、第3のあらかじめ設定された値よりも大きく、かつ、前記第2のあらかじめ設定された値よりも小さいときの前記サイクリックシフト値を算出する解決方法であり、前記第3の解決方法は、前記UEの前記ドップラーシフトが、前記第3のあらかじめ設定された値よりも小さいときの前記サイクリックシフト値を算出する解決方法であり、前記第3のあらかじめ設定された値は、前記第2のあらかじめ設定された値よりも小さい。
【００１２】
第1の態様及び第1の態様の第1の実装に関して、第1の態様の第3の実装において、ユーザ機器UEが、基地局が送った第1の通知シグナリングを受信するときに、第1の解決方法を使用することによってサイクリックシフト値を算出することを前記UEによって決定する前記ステップの前に、当該方法は、
前記基地局が送った通知シグナリングを前記UEによって受信するステップをさらに含み、前記通知シグナリングは、前記第1の通知シグナリング及び/又は第2の通知シグナリングを含み、前記第2の通知シグナリングは、第2の解決方法又は第3の解決方法を使用することによって前記サイクリックシフト値を算出するように前記UEに指示するのに使用され、
前記第2の解決方法は、前記UEの前記ドップラーシフトが、第3のあらかじめ設定された値よりも大きく、かつ、前記第2のあらかじめ設定された値よりも小さいときの前記サイクリックシフト値を算出する解決方法であり、前記第3の解決方法は、前記UEの前記ドップラーシフトが、前記第3のあらかじめ設定された値よりも小さいときの前記サイクリックシフト値を算出する解決方法であり、前記第3のあらかじめ設定された値は、前記第2のあらかじめ設定された値よりも小さい。
【００１３】
第1の態様の第3の実装に関して、第1の態様の第4の実装において、ユーザ機器UEが、基地局が送った第1の通知シグナリングを受信するときに、第1の解決方法を使用することによってサイクリックシフト値を算出することを前記UEによって決定する前記ステップは、
前記UEが、前記基地局が送った前記第1の通知シグナリングのみを受信するときに、前記第1の解決方法を使用することによって前記サイクリックシフト値を算出することを前記UEによって決定するステップ、又は、前記UEが、前記基地局が送る前記第1の通知シグナリング及び前記第2の通知シグナリングを受信するときに、前記第1の解決方法を使用することによって前記サイクリックシフト値を算出することを前記UEによって決定するステップ、を含む。
【００１４】
第1の態様の第3の実装に関して、第1の態様の第5の実装において、前記UEが、前記基地局が送った前記第1の通知シグナリングを受信しないが、前記基地局が送った前記第2の通知シグナリングを受信する場合に、前記UEは、前記第2の解決方法又は前記第3の解決方法を使用することによって前記サイクリックシフト値を算出することを決定する。
【００１５】
第1の態様の第3の実装に関して、第1の態様の第6の実装において、前記第1の通知シグナリングは、さらに、高速度フラグビットを搬送し、
ユーザ機器UEが、基地局が送った第1の通知シグナリングを受信するときに、第1の解決方法を使用することによってサイクリックシフト値を算出することを前記UEによって決定する前記ステップは、
前記UEが、前記基地局が送った前記第1の通知シグナリングを受信するときに、前記高速度フラグビットが第1のあらかじめ設定された識別子である場合には、前記第1の解決方法を使用することによって前記サイクリックシフト値を算出することを前記UEによって決定するステップを含む。
【００１６】
選択的に、前記UEが、前記基地局が送る前記第1の通知シグナリング及び前記第2の通知シグナリングを受信するときに、前記高速度フラグビットが第2のあらかじめ設定された識別子である場合には、前記UEは、前記第2の解決方法又は前記第3の解決方法を使用することによって前記サイクリックシフト値を算出することを前記第2の通知シグナリングにしたがって決定する。
【００１７】
第1の態様、第1の態様の第1の実装、第1の態様の第2の実装、第1の態様の第3の実装、第1の態様の第4の実装、第1の態様の第5の実装、又は第1の態様の第6の実装に関して、第1の態様の第7の実装において、前記UEによって第1の論理ルートシーケンス番号を取得する前記ステップは、以下の2つの実行可能な解決方法を含んでもよい。
【００１８】
ある1つの解決方法において、第1の通知シグナリングが論理ルートシーケンス番号を搬送する場合に、UEは、第1の通知シグナリングの中で搬送される論理ルートシーケンス番号を第1の論理ルートシーケンス番号として決定する。この場合には、基地局は、第1の通知シグナリング及び第2の通知シグナリングの中に複数の異なる論理ルートシーケンス番号を構成してもよく、それによって、第1の通知シグナリングを使用することによってアクセスを実行するUEが、第2の通知シグナリングを使用することによってアクセスを実行するUEと衝突する確率を減少させることが可能であり、ランダムアクセス時間を短縮することが可能であり、そして、ランダムアクセス効率を改善することが可能である。
【００１９】
他の解決方法において、第2の通知シグナリングが論理ルートシーケンス番号を搬送し、第1の通知シグナリングが論理ルートシーケンス番号を搬送していない場合に、UEが第1の通知シグナリング及び第2の通知シグナリングを受信するときは、そのUEは、 第2の通知シグナリングの中で搬送される論理ルートシーケンス番号を第1の論理ルートシーケンス番号として決定する。
【００２０】
選択的に、UEが、ルートシーケンス及びサイクリックシフト値に基づいてランダムアクセスプリアンブルシーケンスを生成した後に、そのUEは、競合ベースのランダムアクセスプリアンブルシーケンスの第1の割り当て数を取得し、そして、そのUEは、生成されたランダムアクセスプリアンブルシーケンスから、競合ベースのランダムアクセスプリアンブルシーケンスとして、第1の割り当て数のランダムアクセスプリアンブルシーケンスを選択する。
【００２１】
ある1つの実行可能な解決方法において、UEが競合ベースのランダムアクセスプリアンブルシーケンスの第1の割り当て数を取得する具体的な方式は、第1の通知シグナリングが競合ベースのランダムアクセスプリアンブルシーケンスの数を搬送している場合に、第1の通知シグナリングの中で搬送される競合ベースのランダムアクセスプリアンブルシーケンスの数が、第1の割り当て数として決定されるということである。選択的に、第2の通知シグナリングは、競合ベースのランダムアクセスプリアンブルシーケンスの数を搬送しているので、基地局は、第1の通知シグナリング及び第2の通知シグナリングの各々の中に、競合ベースのランダムアクセスプリアンブルシーケンスの数を構成してもよく、それによって、ランダムアクセスプリアンブルシーケンスリソースを柔軟に割り当てることが可能である。
【００２２】
他の実行可能な解決方法において、UEが、競合ベースのランダムアクセスプリアンブルシーケンスの第1の割り当て数を取得する具体的な方式は、第2の通知シグナリングが競合ベースのランダムアクセスプリアンブルシーケンスの数を搬送し、第1の通知シグナリングが競合ベースのランダムアクセスプリアンブルシーケンスの数を搬送していない場合に、UEが、第1の通知シグナリング及び第2の通知シグナリングを受信するときは、そのUEは、第2の通知シグナリングの中で搬送される競合ベースのランダムアクセスプリアンブルシーケンスの数を第1の割り当て数として決定する。
【００２３】
選択的に、第1の通知シグナリングは、システム情報及び/又はモバイル制御情報の中に含まれ、第2の通知シグナリングは、システム情報及び/又はモバイル制御情報の中に含まれていてもよい。例えば、基地局は、送られるべきシステム情報及び/又はモバイル制御情報に第1の通知シグナリングを追加してもよく、それにより、第1の通知シグナリングを送る。
【００２４】
第2の態様によれば、本発明のある1つの実施形態は、ユーザ機器であって、
基地局が送った第1の通知シグナリングを受信するように構成されるシグナリング受信ユニットと、
前記第1の通知シグナリングを受信するときに、第1の解決方法を使用することによってサイクリックシフト値を算出することを決定するように構成されるサイクリックシフト値決定ユニットと、
第1の論理ルートシーケンス番号を取得するように構成されるシーケンス番号取得ユニットと、
前記第1の論理ルートシーケンス番号に基づいて、ルートシーケンスを決定するように構成されるルートシーケンス決定ユニットと、
前記ルートシーケンス及び前記サイクリックシフト値に基づいて、ランダムアクセスプリアンブルシーケンスを生成するように構成されるシーケンス生成ユニットと、を含み、
前記第1の解決方法は、当該UEのドップラーシフトが、第1のあらかじめ設定された値よりも小さく、かつ、第2のあらかじめ設定された値よりも大きいときの前記サイクリックシフト値を算出する解決方法であり、前記第1のあらかじめ設定された値は、物理ランダムアクセスチャネルPRACHサブキャリア間隔の2倍以下であり、前記第2のあらかじめ設定された値は、前記PRACHサブキャリア間隔の17倍以上であり、前記第1のあらかじめ設定された値は、前記第2のあらかじめ設定された値よりも大きい、
ユーザ機器を提供する。
【００２５】
本発明の実施形態の第2の態様においては、第1通知シグナリングを受信したときに、UEのドップラーシフトが、PRACHサブキャリア間隔よりも大きく、かつ、PRACHサブキャリア間隔の2倍より小さい状態に特有の算出の解決方法を使用することによって、サイクリックシフト値を算出することが可能であり、それによって、UEが、サイクリックシフト値及びルートシーケンスに基づいて生成されるランダムアクセスプリアンブルシーケンスを使用することによって、ランダムアクセスを実行するときに、複数のUEの間の相互の干渉を排除し、基地局がランダムアクセスシーケンスを検出するときに、あやふやな検出が発生するという問題を解決する。
【００２６】
第2の態様に関して、第2の態様の第1の実装において、前記第1の通知シグナリングは、ターゲットNcsインデックスを搬送し、前記サイクリックシフト値決定ユニットは、
前記基地局が送った前記第1の通知シグナリングを受信するときに、NcsインデックスとNcs値との間のあらかじめ設定されたマッピングテーブルに基づいて、前記ターゲットNcsインデックスに対応するターゲットNcs値を取得するように構成されるNcs値取得ユニットと、
前記ターゲットNcs値に基づいて、前記第1の解決方法を使用することによって、前記サイクリックシフト値を算出するように構成されるサイクリックシフト値算出ユニットと、を含む。
【００２７】
本発明のこの実施形態においては、NcsインデックスとNcs値との間のマッピングテーブルの中のNcsインデックスの数及びNcsインデックスの特定の値には、いかなる制限も課されず、また、Ncsインデックスに対応するNcs値にも、いかなる制限も課されない。選択的に、NcsインデックスとNcs値との間の前記マッピングテーブルの中の前記Ncsインデックスに対応する前記Ncs値は、137以下であるか、又は、NcsインデックスとNcs値との間の前記マッピングテーブルの中の前記Ncsインデックスに対応する前記Ncs値は、158以下である。さらに、選択的に、NcsインデックスとNcs値との間のマッピングテーブルの中のNcsインデックスの数は、13以下である。
【００２８】
例えば、NcsインデックスとNcs値との間のマッピングテーブルの中のNcsインデックスの数が13である場合に、例えば、Ncsインデックスが0から12までの整数である場合には、Ncsインデックスに対応するNcs値は、それぞれ、15、18、22、26、32、38、46、55、68、82、100、128、及び137である。
【００２９】
第2の態様及び第2の態様の第1の実装に関して、第2の態様の第2の実装において、前記第1の通知シグナリングは、さらに、高速度フラグビットを搬送し、前記高速度フラグビットは、前記サイクリックシフト値を算出する解決方法を示すのに使用され、
前記サイクリックシフト値決定ユニットは、さらに、前記基地局が送った前記第1の通知シグナリングを受信するときに、前記高速度フラグビットが第1のあらかじめ設定された識別子である場合には、前記第1の解決方法を使用することによって前記サイクリックシフト値を算出することを決定するように構成される。
【００３０】
選択的に、前記サイクリックシフト値決定ユニットは、さらに、
前記基地局が送った前記第1の通知シグナリングを受信するときに、前記高速度フラグビットが第2のあらかじめ設定された識別子である場合には、第2の解決方法を使用することによって前記サイクリックシフト値を算出することを決定するか、又は、
前記基地局が送った前記第1の通知シグナリングを受信するときに、前記高速度フラグビットが第3のあらかじめ設定された識別子である場合には、第3の解決方法を使用することによって前記サイクリックシフト値を算出することを決定する、ように構成され、
前記第2の解決方法は、当該UEの前記ドップラーシフトが、第3のあらかじめ設定された値よりも大きく、かつ、前記第2のあらかじめ設定された値よりも小さいときの前記サイクリックシフト値を算出する解決方法であり、
前記第3の解決方法は、当該UEの前記ドップラーシフトが、前記第3のあらかじめ設定された値よりも小さいときの前記サイクリックシフト値を算出する解決方法であり、
前記第3のあらかじめ設定された値は、前記第2のあらかじめ設定された値よりも小さい。
【００３１】
第2態様及び第2の態様の第1の実装に関して、第2の態様の第3の実装において、前記シグナリング受信ユニットは、さらに、前記基地局が送った通知シグナリングを受信するように構成され、前記通知シグナリングは、前記第1の通知シグナリング及び/又は第2の通知シグナリングを含み、前記第2の通知シグナリングは、第2の解決方法又は第3の解決方法を使用することによって前記サイクリックシフト値を算出するように当該UEに指示するのに使用され、
前記第2の解決方法は、当該UEの前記ドップラーシフトが、第3のあらかじめ設定された値よりも大きく、かつ、前記第2のあらかじめ設定された値よりも小さいときの前記サイクリックシフト値を算出する解決方法であり、
前記第3の解決方法は、当該UEの前記ドップラーシフトが、前記第3のあらかじめ設定された値よりも小さいときの前記サイクリックシフト値を算出する解決方法であり、
前記第3のあらかじめ設定された値は、前記第2のあらかじめ設定された値よりも小さい。
【００３２】
第2の態様の第3の実装に関して、第2の態様の第4の実装において、前記サイクリックシフト値決定ユニットは、さらに、前記基地局が送った前記第1の通知シグナリングのみを受信するときに、前記第1の解決方法を使用することによって前記サイクリックシフト値を算出することを決定するように構成されるか、又は、
前記サイクリックシフト値決定ユニットは、さらに、前記基地局が送る前記第1の通知シグナリング及び前記第2の通知シグナリングを受信するときに、前記第1の解決方法を使用することによって前記サイクリックシフト値を算出することを決定するように構成される。
【００３３】
第2の態様の第3の実装に関して、第2の態様の第5の実装において、前記UEが、前記基地局が送った前記第1の通知シグナリングを受信しないが、前記基地局が送った前記第2の通知シグナリングを受信する場合に、前記UEは、前記第2の解決方法又は前記第3の解決方法を使用することによって前記サイクリックシフト値を算出することを決定する。
【００３４】
第2の態様の第3の実装に関して、第2の態様の第6の実装において、前記第1の通知シグナリングは、さらに、高速度フラグビットを搬送し、
前記サイクリックシフト値決定ユニットは、さらに、前記基地局が送った前記第1の通知シグナリングを受信するときに、前記高速度フラグビットが第1のあらかじめ設定された識別子である場合には、前記第1の解決方法を使用することによって前記サイクリックシフト値を算出することを決定するように構成される。
【００３５】
選択的に、前記サイクリックシフト値決定ユニットは、さらに、前記基地局が送る前記第1の通知シグナリング及び前記第2の通知シグナリングを受信するときに、前記高速度フラグビットが第2のあらかじめ設定された識別子である場合には、前記第2の解決方法又は前記第3の解決方法を使用することによって前記サイクリックシフト値を算出することを前記第2の通知シグナリングにしたがって決定するように構成される。
【００３６】
第2の態様、第2の態様の第1の実装、第2の態様の第2の実装、第2の態様の第3の実装、第2の態様の第4の実装、第2の態様の第5の実装、又は、第2の態様の第6の実装に関して、第2の態様の第7の実装において、第1の通知シグナリングが論理ルートシーケンス番号を搬送する場合に、シーケンス番号取得ユニットは、さらに、第1の通知シグナリングの中で搬送される論理ルートシーケンス番号を第1の論理ルートシーケンス番号として決定するように構成される。この場合には、基地局は、第1の通知シグナリング及び第2の通知シグナリングの中に複数の異なる論理ルートシーケンス番号を構成してもよく、それによって、第1の通知シグナリングを使用することによってアクセスを実行するUEが、第2の通知シグナリングを使用することによってアクセスを実行するUEと衝突する確率を減少させることが可能であり、ランダムアクセス時間を短縮することが可能であり、そして、ランダムアクセス効率を改善することが可能である。
【００３７】
第2の通知シグナリングが論理ルートシーケンス番号を搬送し、第1の通知シグナリングが論理ルートシーケンス番号を搬送していない場合に、シーケンス番号取得ユニットは、さらに、第1の通知シグナリング及び第2の通知シグナリングを受信するときは、第2の通知シグナリングの中で搬送される論理ルートシーケンス番号を第1の論理ルートシーケンス番号として決定するように構成される。
【００３８】
選択的に、ユーザ機器は、数取得ユニット及びシーケンス選択ユニットをさらに含む。
【００３９】
数取得ユニットは、競合ベースのランダムアクセスプリアンブルシーケンスの第1の割り当て数を取得するように構成される。
【００４０】
シーケンス選択ユニットは、生成されたランダムアクセスプリアンブルシーケンスから、競合ベースのランダムアクセスプリアンブルシーケンスとして第1の割り当て数のランダムアクセスプリアンブルシーケンスを選択するように構成される。
【００４１】
ある1つの実行可能な解決方法において、第1の通知シグナリングが競合ベースのランダムアクセスプリアンブルシーケンスの数を搬送している場合に、数取得ユニットは、さらに、第1の通知シグナリングの中で搬送される競合ベースのランダムアクセスプリアンブルシーケンスの数を第1の割り当て数として決定するように構成される。選択的に、第2の通知シグナリングは、競合ベースのランダムアクセスプリアンブルシーケンスの数を搬送しているので、基地局は、第1の通知シグナリング及び第2の通知シグナリングの各々の中に、競合ベースのランダムアクセスプリアンブルシーケンスの数を構成してもよく、それによって、ランダムアクセスプリアンブルシーケンスリソースを柔軟に割り当てることが可能である。
【００４２】
他の実行可能な解決方法において、第2の通知シグナリングが競合ベースのランダムアクセスプリアンブルシーケンスの数を搬送し、第1の通知シグナリングが競合ベースのランダムアクセスプリアンブルシーケンスの数を搬送していない場合に、数取得ユニットは、さらに、第1の通知シグナリング及び第2の通知シグナリングを受信するとき、第2の通知シグナリングの中で搬送される競合ベースのランダムアクセスプリアンブルシーケンスの数を第1の割り当て数として決定するように構成される。
【００４３】
選択的に、第1の通知シグナリングは、システム情報及び/又はモバイル制御情報の中に含まれ、第2の通知シグナリングは、システム情報及び/又はモバイル制御情報の中に含まれていてもよい。例えば、基地局は、送られるべきシステム情報及び/又はモバイル制御情報に第1の通知シグナリングを追加してもよく、それにより、第1の通知シグナリングを送る。
【００４４】
第3の態様によれば、本発明のある1つの実施形態は、ユーザ機器であって、当該ユーザ機器は、受信機及びプロセッサを含み、
前記受信機は、基地局が送った第1の通知シグナリングを受信するように構成され、
前記プロセッサは、前記第1の通知シグナリングを受信するときに、第1の解決方法を使用することによってサイクリックシフト値を算出することを決定するように構成され、
前記プロセッサは、さらに、第1の論理ルートシーケンス番号を取得するように構成され、
前記プロセッサは、さらに、前記第1の論理ルートシーケンス番号に基づいて、ルートシーケンスを決定するように構成され、
前記プロセッサは、さらに、前記ルートシーケンス及び前記サイクリックシフト値に基づいて、ランダムアクセスプリアンブルシーケンスを生成するように構成され、
前記第1の解決方法は、当該UEのドップラーシフトが、第1のあらかじめ設定された値よりも小さく、かつ、第2のあらかじめ設定された値よりも大きいときの前記サイクリックシフト値を算出する解決方法であり、前記第1のあらかじめ設定された値は、物理ランダムアクセスチャネルPRACHサブキャリア間隔の2倍以下であり、前記第2のあらかじめ設定された値は、前記PRACHサブキャリア間隔以上であり、前記第1のあらかじめ設定された値は、前記第2のあらかじめ設定された値よりも大きい、
ユーザ機器を提供する。
【００４５】
第3の態様に関して、第3の態様の第1の実装において、前記第1の通知シグナリングは、ターゲットNcsインデックスを搬送し、
前記プロセッサは、さらに、前記基地局が送った前記第1の通知シグナリングを受信するときに、NcsインデックスとNcs値との間のあらかじめ設定されたマッピングテーブルに基づいて、前記ターゲットNcsインデックスに対応するターゲットNcs値を取得し、そして、前記ターゲットNcs値に基づいて、前記第1の解決方法を使用することによって、前記サイクリックシフト値を算出する、ように構成される。
【００４６】
本発明のこの実施形態においては、NcsインデックスとNcs値との間のマッピングテーブルの中のNcsインデックスの数及びNcsインデックスの特定の値には、いかなる制限も課されず、また、Ncsインデックスに対応するNcs値にも、いかなる制限も課されない。選択的に、NcsインデックスとNcs値との間の前記マッピングテーブルの中の前記Ncsインデックスに対応する前記Ncs値は、137以下であるか、又は、NcsインデックスとNcs値との間の前記マッピングテーブルの中の前記Ncsインデックスに対応する前記Ncs値は、158以下である。さらに、選択的に、NcsインデックスとNcs値との間のマッピングテーブルの中のNcsインデックスの数は、13以下である。
【００４７】
例えば、NcsインデックスとNcs値との間のマッピングテーブルの中のNcsインデックスの数が13である場合に、例えば、Ncsインデックスが0から12までの整数である場合には、Ncsインデックスに対応するNcs値は、それぞれ、15、18、22、26、32、38、46、55、68、82、100、128、及び137である。
【００４８】
第3の態様及び第3の態様の第1の実装に関して、第3の態様の第2の実装において、前記第1の通知シグナリングは、さらに、高速度フラグビットを搬送し、前記高速度フラグビットは、前記サイクリックシフト値を算出する解決方法を示すのに使用され、
前記プロセッサは、さらに、前記基地局が送った前記第1の通知シグナリングを受信するときに、前記高速度フラグビットが第1のあらかじめ設定された識別子である場合には、前記第1の解決方法を使用することによって前記サイクリックシフト値を算出することを決定するように構成される。
【００４９】
選択的に、前記プロセッサは、さらに、
前記基地局が送った前記第1の通知シグナリングを受信するときに、前記高速度フラグビットが第2のあらかじめ設定された識別子である場合には、第2の解決方法を使用することによって前記サイクリックシフト値を算出することを決定するか、又は、
前記基地局が送った前記第1の通知シグナリングを受信するときに、前記高速度フラグビットが第3のあらかじめ設定された識別子である場合には、第3の解決方法を使用することによって前記サイクリックシフト値を算出することを決定する、ように構成され、
前記第2の解決方法は、当該UEの前記ドップラーシフトが、第3のあらかじめ設定された値よりも大きく、かつ、前記第2のあらかじめ設定された値よりも小さいときの前記サイクリックシフト値を算出する解決方法であり、
前記第3の解決方法は、当該UEの前記ドップラーシフトが、前記第3のあらかじめ設定された値よりも小さいときの前記サイクリックシフト値を算出する解決方法であり、
前記第3のあらかじめ設定された値は、前記第2のあらかじめ設定された値よりも小さい。
【００５０】
第3の態様及び第3の態様の第1の実装に関して、第3の態様の第3の実装において、前記受信機は、さらに、前記基地局が送った通知シグナリングを受信するように構成され、前記通知シグナリングは、前記第1の通知シグナリング及び/又は第2の通知シグナリングを含み、前記第2の通知シグナリングは、第2の解決方法又は第3の解決方法を使用することによって前記サイクリックシフト値を算出するように当該UEに指示するのに使用され、
前記第2の解決方法は、当該UEの前記ドップラーシフトが、第3のあらかじめ設定された値よりも大きく、かつ、前記第2のあらかじめ設定された値よりも小さいときの前記サイクリックシフト値を算出する解決方法であり、
前記第3の解決方法は、当該UEの前記ドップラーシフトが、前記第3のあらかじめ設定された値よりも小さいときの前記サイクリックシフト値を算出する解決方法であり、
前記第3のあらかじめ設定された値は、前記第2のあらかじめ設定された値よりも小さい。
【００５１】
第3の態様の第3の実装に関して、第3の態様の第4の実装において、前記プロセッサは、さらに、前記基地局が送った前記第1の通知シグナリングのみを受信するときに、前記第1の解決方法を使用することによって前記サイクリックシフト値を算出することを決定するように構成されるか、又は、
前記プロセッサは、さらに、前記基地局が送る前記第1の通知シグナリング及び前記第2の通知シグナリングを受信するときに、前記第1の解決方法を使用することによって前記サイクリックシフト値を算出することを決定するように構成される。
【００５２】
第3の態様の第3の実装に関して、第3の態様の第5の実装において、前記プロセッサは、さらに、前記基地局が送った前記第1の通知シグナリングを受信しないが、前記基地局が送った前記第2の通知シグナリングを受信する場合に、前記第2の解決方法又は前記第3の解決方法を使用することによって前記サイクリックシフト値を算出することを決定するように構成される。
【００５３】
第3の態様の第3の実装に関して、第3の態様の第6の実装において、前記第1の通知シグナリングは、さらに、高速度フラグビットを搬送し、
前記プロセッサは、さらに、前記基地局が送った前記第1の通知シグナリングを受信するときに、前記高速度フラグビットが第1のあらかじめ設定された識別子である場合には、前記第1の解決方法を使用することによって前記サイクリックシフト値を算出することを決定するように構成される。
【００５４】
選択的に、前記プロセッサは、さらに、前記基地局が送る前記第1の通知シグナリング及び前記第2の通知シグナリングを受信するときに、前記高速度フラグビットが第2のあらかじめ設定された識別子である場合には、前記第2の解決方法又は前記第3の解決方法を使用することによって前記サイクリックシフト値を算出することを前記第2の通知シグナリングにしたがって決定するように構成される。
【００５５】
第3の態様、第3の態様の第1の実装、第3の態様の第2の実装、第3の態様の第3の実装、第3の態様の第4の実装、第3の態様の第5の実装、又は、第3の態様の第6の実装に関して、第3の態様の第7の実装において、前記プロセッサは、さらに、
前記第1の通知シグナリングが論理ルートシーケンス番号を搬送する場合に、前記第1の通知シグナリングの中で搬送される前記論理ルートシーケンス番号を前記第1の論理ルートシーケンス番号として決定するか、又は、
前記第2の通知シグナリングが論理ルートシーケンス番号を搬送し、前記第1の通知シグナリングが論理ルートシーケンス番号を搬送していない場合に、前記第1の通知シグナリング及び前記第2の通知シグナリングを受信するときは、前記第2の通知シグナリングの中で搬送される前記論理ルートシーケンス番号を前記第1の論理ルートシーケンス番号として決定する、ように構成される。
【００５６】
選択的に、前記プロセッサは、さらに、競合ベースのランダムアクセスプリアンブルシーケンスの第1の割り当て数を取得するように構成され、そして、前記プロセッサは、さらに、生成されたランダムアクセスプリアンブルシーケンスから、前記競合ベースのランダムアクセスプリアンブルシーケンスとして、前記第1の割り当て数のランダムアクセスプリアンブルシーケンスを選択するように構成される。
【００５７】
ある1つの実行可能な解決方法において、プロセッサは、さらに、第1の通知シグナリングが競合ベースのランダムアクセスプリアンブルシーケンスの数を搬送している場合に、第1の通知シグナリングの中で搬送される競合ベースのランダムアクセスプリアンブルシーケンスの数を第1の割り当て数として決定するように構成される。選択的に、第2の通知シグナリングは、競合ベースのランダムアクセスプリアンブルシーケンスの数を搬送しているので、基地局は、第1の通知シグナリング及び第2の通知シグナリングの各々の中に、競合ベースのランダムアクセスプリアンブルシーケンスの数を構成してもよく、それによって、ランダムアクセスプリアンブルシーケンスリソースを柔軟に割り当てることが可能である。
【００５８】
他の実行可能な解決方法において、プロセッサは、さらに、第2の通知シグナリングが競合ベースのランダムアクセスプリアンブルシーケンスの数を搬送し、第1の通知シグナリングが競合ベースのランダムアクセスプリアンブルシーケンスの数を搬送していない場合に、UEが第1の通知シグナリング及び第2の通知シグナリングを受信するときは、第2の通知シグナリングの中で搬送される競合ベースのランダムアクセスプリアンブルシーケンスの数を第1の割り当て数として決定するように構成される。
【００５９】
選択的に、第1の通知シグナリングは、システム情報及び/又はモバイル制御情報の中に含まれ、第2の通知シグナリングは、システム情報及び/又はモバイル制御情報の中に含まれていてもよい。例えば、基地局は、送られるべきシステム情報及び/又はモバイル制御情報に第1の通知シグナリングを追加してもよく、それにより、第1の通知シグナリングを送る。
【００６０】
第4の態様によれば、本発明のある1つの実施形態は、コンピュータ記憶媒体を提供し、そのコンピュータ記憶媒体は、上記のユーザ機器が使用するコンピュータソフトウェア命令を格納するように構成され、そのコンピュータソフトウェア命令は、上記の複数の態様を実行するように設計されるプログラムを含む。
【００６１】
本発明の複数の実施形態において、基地局及びユーザ機器の名称は、デバイスに対していかなる限定も構成しない。実際の実装においては、それらのデバイスは、他の名称を有していてもよい。各々のデバイスの機能が、本発明における機能と同様である限り、そのデバイスは、本発明の請求項に記載された発明の範囲及びそれらの均等な技術の範囲に属する。
【００６２】
本発明の複数の実施形態においては、UEが、基地局が送った第1の通知シグナリングを受信するときに、そのUEは、第1の解決方法を使用することによってサイクリックシフト値を算出することを決定し、そのUEは、第1の論理ルートシーケンス番号を取得し、その第1の論理ルートシーケンス番号に基づいてルートシーケンスを決定し、そして、そのUEは、ルートシーケンス及びサイクリックシフト値に基づいて、ランダムアクセスプリアンブルシーケンスを生成する。第1の解決方法は、そのUEのドップラーシフトが、第1のあらかじめ設定された値よりも小さく、かつ、第2のあらかじめ設定された値よりも大きいときのサイクリックシフト値を算出する解決方法である。この場合に、第1の通知シグナリングを受信するときに、そのUEのドップラーシフトが、PRACHサブキャリア間隔より大きく、かつ、そのPRACHサブキャリア間隔の2倍よりも小さい状態に特有のCv算出解決方法を使用することによって、サイクリックシフト値を算出することが可能であり、それによって、そのUEが、サイクリックシフト値及びルートシーケンスに基づいて生成されるランダムアクセスプリアンブルシーケンスを使用することによって、ランダムアクセスを実行するときに、複数のUEの間の相互の干渉を排除し、基地局がランダムアクセスシーケンスを検出するときにあやふやな検出が発生するという問題を解決する。
【図面の簡単な説明】
【００６３】
本発明の複数の実施形態における又は先行技術における複数の技術的解決方法をより明確に説明するために、以下の記載は、それらの複数の実施形態を説明するために必要とされる複数の添付の図面を簡潔に説明する。明らかなことではあるが、以下の説明におけるそれらの複数の添付の図面は、本発明のそれらの複数の実施形態のうちのいくつかを示しているにすぎず、当業者は、さらに、創造的な努力なくして、これらの複数の添付の図面から他の図面を導き出すことが可能である。
【００６４】
【図１】本発明のある1つの実施形態にしたがった可能なネットワークアーキテクチャの図である。
【図２】本発明のある1つの実施形態にしたがったランダムアクセスプリアンブルシーケンス生成方法の概略的なフローチャートである。
【図３】本発明のある1つの実施形態にしたがった他のランダムアクセスプリアンブルシーケンス生成方法の概略的なフローチャートである。
【図４】本発明のある1つの実施形態にしたがったユーザ機器の概略的なモジュール図である。
【図５】本発明のある1つの実施形態にしたがったユーザ機器の概略的な構成図である。
【発明を実施するための形態】
【００６５】
本発明によって提供される解決方法において、UEのドップラーシフトが、PRACHサブキャリア間隔より大きく、かつ、そのPRACHサブキャリア間隔の2倍よりも小さいときに、複数のUEの間の相互の干渉を排除することが可能であり、基地局がランダムアクセスシーケンスを検出するときにあやふやな検出が発生するという問題を解決することが可能である。
【００６６】
本発明の複数の技術的解決方法を当業者により良く理解させるために、以下の記載は、本発明の複数の実施形態において複数の添付の図面を参照して、本発明のそれらの複数の実施形態における技術的解決方法を明確に説明する。明らかなことではあるが、それらの説明される実施形態は、本発明のそれらの複数の実施形態のすべてではなくいくつかにすぎない。創造的な努力なくして本発明のそれらの複数の実施形態に基づいて当業者が得ることが可能である他のすべての実施形態は、本発明の保護の範囲に属するものとする。
【００６７】
本発明の明細書、特許請求の範囲、及び添付の図面において、"第1の"、"第2の"、"第3の"、及び"第4の"等の語は、複数の異なる対象の間の区別を意図しているが、ある特定の順序を示すものではない。加えて、"含む"、"有する"、及びそれらのいずれかの他の変形は、非排他的な包含を対象とすることを意図している。例えば、一連のステップ又はユニットを含むプロセス、方法、システム、製品、又はデバイスは、列挙されているステップ又はユニットには限定されず、一方で、選択的に、列挙されていないステップ又はユニットをさらに含み、或いは、選択的に、プロセス、方法、製品、又はデバイスの別の固有のステップ又はユニットをさらに含む。
【００６８】
明細書のなかで言及される"実施形態"は、本発明の少なくとも1つの実施形態の中に、その実施形態を参照して説明されるある特定の特性、構造、又は特徴を含めることが可能であるということを意味している。明細書の中の様々な箇所に現れる語は、必ずしも同じ実施形態を指すものではなく、他の実施形態を含まない独立の実施形態又は随意的な実施形態ではない。当業者は、明細書の中で説明されているそれらの複数の実施形態を他の実施形態と組み合わせてもよいということを明示的にかつ黙示的に理解するであろう。
【００６９】
本発明の理解を容易にするために、以下の記載は、最初に、本発明のある1つの実施形態に適用可能な可能性のあるネットワークアーキテクチャの図を説明する。図1に示されているネットワークアーキテクチャは、基地局及びその基地局のカバレッジエリアの中に位置するユーザ機器を含んでもよい。例えば、LTEシステムにおいては、ランダムアクセスプロセスは、競合ベースのランダムアクセス及び非競合ベースのランダムアクセスの2つのモードを有する。規格3GPP  TS  36.211によって定義されているランダムアクセスプリアンブルシーケンスxu,v(n)は、
【数１】
0006882460.tif 000002
であり、xu(n)は、Zadoff-Chu(ZC)シーケンスであり、uは、物理ルートシーケンス番号であり、uと論理ルートシーケンス番号の各々とプリアンブルフォーマットとの間の対応関係は、3GPP  TS  36.211の中で明記されている。
【００７０】
特定の実装においては、基地局は、UEに論理ルートシーケンス番号及びプリアンブルフォーマットを送ってもよく、そのUEは、あらかじめ設定された対応関係に基づいて、物理ルートシーケンス番号uを決定する。
【００７１】
NZCは、ZCシーケンスの長さであり、プリアンブルフォーマットとNZCとの間の対応関係は、3GPP  TS  36.211の中で明記されている。プリアンブルフォーマット1乃至3の場合には、NZC＝839であり、プリアンブルフォーマット4の場合には、NZC＝139である。
【００７２】
さらに、xu(n)は、
【数２】
0006882460.tif 000003
である。
【００７３】
Cvは、サイクリックシフト値であり、複数のCv算出解決方法が存在する。
【００７４】
例えば、第1のCv算出解決方法は、
【数３】
0006882460.tif 000004
である。
【００７５】
第2のCv算出解決方法は、
【数４】
0006882460.tif 000005
であり、
【数５】
0006882460.tif 000006
である。
【００７６】
さらに、NCSは、ゼロ相関ゾーン長であり、NCSとNCSインデックスの各々とプリアンブルフォーマットとの間の対応関係は、3GPP  TS  36.211の中に明記されている。具体的な実装の場合には、基地局は、UEにNCSインデックスを送ってもよく、そのUEは、送られたプリアンブルフォーマットを参照してNCSを決定する。
【００７７】
ランダムアクセスプリアンブルシーケンスは、具体的には、通知シグナリングを受信することによって生成され、その通知シグナリングは、基地局が送るとともに、ランダムアクセスプリアンブルシーケンスを生成するのに使用される。その通知シグナリングは、論理ルートシーケンス番号、Ncsインデックス、又は競合ベースのランダムアクセスプリアンブルシーケンスの数等のパラメータを搬送してもよい。ランダムアクセスプリアンブルシーケンスは、通知シグナリングのパラメータ及び上記のランダムアクセスプリアンブルシーケンス生成解決方法を使用することによって生成される。第1のCv算出解決方法は、低速度の/静止しているユーザのために設計され、低速度の/静止しているユーザは、第1のCv算出解決方法を使用することによって最終的に得られるランダムアクセスプリアンブルシーケンスを使用する。第2のCv算出解決方法は、高速度移動ユーザのために設計され、同様に、高速度移動ユーザは、第2のCv算出解決方法を使用することによって最終的に得られるランダムアクセスプリアンブルシーケンスを使用して、複数のUEの間の相互の干渉を排除する。
【００７８】
実際の適用においては、通知シグナリングは高速度フラグビットを搬送し、それによって、その通知シグナリングを受信するUEは、上記の2つのCv算出解決方法から、Cv算出解決方法を決定する。例えば、UEが通知シグナリングを受信した後に、その通知シグナリングの中の高速度フラグビットが"真"である場合には、そのUEは、第2のCv算出解決方法を使用することによって、サイクリックシフト値を算出し、或いは、通知シグナリングの中の高速度フラグビットが"偽"である場合には、そのUEは、第1のCv算出解決方法を使用することによって、サイクリックシフト値を算出する。
【００７９】
さらに、Cv算出解決方法は、上記の2つの解決方法には限定されない。ある1つの実行可能な解決方法においては、UEのドップラーシフトが、PRACHサブキャリア間隔よりも大きく、かつ、そのPRACHサブキャリア間隔の2倍よりも小さいときに、この状態に対応するある1つのCv算出解決方法を使用することによって、算出を実行してもよい。この手法によって、算出によって得られるCvは、複数のUEの間の相互の干渉を排除することを可能とするとともに、基地局がランダムアクセスシーケンスを検出するときにあやふやな検出が発生するという問題を解決することを可能とする。一方で、既存の解決方法においては、基地局が送る通知シグナリングを使用することによって、第1のCv算出解決方法及び第2のCv算出解決方法のみを使用することが可能であり、他の状態におけるCv算出解決方法を使用することは不可能である。高速度ユーザの場合には、ランダムアクセスプリアンブルシーケンスが、依然として、第2のCv算出解決方法を使用して生成される場合には、複数のUEの間の相互の干渉及び基地局がランダムアクセスシーケンスを検出するときにあやふやな検出が発生するという問題を引き起こす。
【００８０】
本発明の複数の実施形態においては、ユーザ機器UEが、基地局が送った第1の通知シグナリングを受信するときに、そのUEは、第1の解決方法を使用することによってサイクリックシフト値を算出することを決定し、そのUEは、第1の論理ルートシーケンス番号を取得し、その第1の論理ルートシーケンス番号に基づいてルートシーケンスを決定し、そして、そのUEは、ルートシーケンス及びサイクリックシフト値に基づいて、ランダムアクセスプリアンブルシーケンスを生成する。第1の解決方法は、そのUEのドップラーシフトが、第1のあらかじめ設定された値よりも小さく、かつ、第2のあらかじめ設定された値よりも大きいときのサイクリックシフト値を算出する解決方法であり、第1のあらかじめ設定された値は、物理ランダムアクセスチャネルPRACHサブキャリア間隔の2倍よりも小さく、第2のあらかじめ設定された値は、そのPRACHサブキャリア間隔よりも大きく、そして、第1のあらかじめ設定された値は、第2のあらかじめ設定された値よりも大きい。この場合に、第1の通知シグナリングを使用することで、そのUEのドップラーシフトが、PRACHサブキャリア間隔より大きく、かつ、そのPRACHサブキャリア間隔の2倍よりも小さい状態に特有のCv算出解決方法を使用することによって、サイクリックシフト値を算出することが可能であり、それによって、そのUEが、サイクリックシフト値及びルートシーケンスに基づいて生成されるランダムアクセスプリアンブルシーケンスを使用することによって、ランダムアクセスを実行するときに、複数のUEの間の相互の干渉を排除し、基地局がランダムアクセスシーケンスを検出するときにあやふやな検出が発生するという問題を解決する。
【００８１】
例えば、ランダムアクセスプリアンブルシーケンスを生成する必要がある進化型パケットシステム(Evolved  Packet  System,  EPS)、汎欧州ディジタル移動体通信システム(Global  System  of  Mobile  communication,  GSM)、符号分割多元接続(Code  Division  Multiple  Access,  CDMA)システム、広帯域符号分割多元接続(Wideband  Code  Division  Multiple  Access,  WCDMA)システム、汎用パケット無線サービス(General  Packet  Radio  Service,  GPRS)システム、LTE周波数分割複信(Frequency  Division  Duplex,  FDD)システム、又はLTE時分割複信(Time  Division  Duplex,  TDD)システム等の他の通信システムに、本発明の複数の実施形態を適用することが可能である。
【００８２】
本発明の複数の実施形態において、ユーザ機器は、これらには限定されないが、端末(Terminal)、及び移動局(Mobile  Station,  MS)等を含んでもよい。ユーザ機器は、代替的に、モバイル電話(又は、"セルラー"電話と称される)、或いは、(スマートバンド、スマート時計、又はスマートメガネ等の)携帯型装置、ポケットサイズの装置、ハンドヘルド装置、コンピュータ内蔵型装置、又は車載用モバイル装置であってもよい。
【００８３】
図1に示されているネットワークアーキテクチャに基づいて、本発明のそれらの複数の実施形態における基地局及びユーザ機器は、他の名称を有していてもよい。各々のデバイスの機能が、本発明における機能と同様である限り、そのデバイスは、本発明の請求項に記載された発明の範囲及びそれらの均等な技術の範囲に属する。
【００８４】
図2を参照すると、図2は、本発明のある1つの実施形態にしたがったランダムアクセスプリアンブルシーケンス生成方法の概略的なフローチャートである。図2に示されているように、本発明のこの実施形態におけるランダムアクセスプリアンブルシーケンス生成方法は、ステップ101乃至ステップ103を含む。本発明のこの実施形態におけるランダムアクセスプリアンブルシーケンス生成方法は、ユーザ機器によって実行される。特定のプロセスについては、以下の詳細な説明を参照すべきである。
【００８５】
101.  UEが、基地局が送った第1の通知シグナリングを受信するときに、そのUEは、第1の解決方法を使用することによってサイクリックシフト値を算出することを決定する。
【００８６】
第1の解決方法は、UEのドップラーシフトが、第1のあらかじめ設定された値よりも小さく、かつ、第2のあらかじめ設定された値よりも大きいときのサイクリックシフト値を算出する解決方法であり、第1のあらかじめ設定された値は、PRACHサブキャリア間隔の2倍以下であり、第2のあらかじめ設定された値は、PRACHサブキャリア間隔以上であり、第1のあらかじめ設定された値は、第2のあらかじめ設定された値よりも大きい。
【００８７】
第1の通知シグナリングは、ターゲットNcsインデックスを搬送する。このステップにおいて、UEが、第1の解決方法を使用することによってサイクリックシフト値を算出することを決定することは、特に、UEが、NcsインデックスとNcs値との間のあらかじめ設定されたマッピングテーブルに基づいて、ターゲットNcsインデックスに対応するターゲットNcs値を取得し、そして、UEが、第1の解決方法を使用することによって、ターゲットNcs値に基づいて、サイクリックシフト値を算出することである。
【００８８】
NcsインデックスとNcs値との間のマッピングテーブルは、あらかじめ設定されている。本発明のこの実施形態においては、NcsインデックスとNcs値との間のマッピングテーブルの中のNcsインデックスの数及びNcsインデックスの特定の値には、いかなる制限も課されず、また、Ncsインデックスに対応するNcs値にも、いかなる制限も課されない。
【００８９】
選択的に、NcsインデックスとNcs値との間のマッピングテーブルの中のNcsインデックスに対応するNcs値は、137以下であるか、又は、NcsインデックスとNcs値との間のマッピングテーブルの中のNcsインデックスに対応するNcs値は、158以下である。さらに、選択的に、NcsインデックスとNcs値との間のマッピングテーブルの中のNcsインデックスの数は、13以下である。
【００９０】
例えば、NcsインデックスとNcs値との間のマッピングテーブルの中のNcsインデックスの数は、13である。例えば、Ncsインデックスは、0から12までの整数である。表1に示されているNcsインデックスとNcs値との間のマッピングテーブルを参照すると、第1の通知シグナリングの中で搬送されるターゲットNcsインデックスが8であるときに、ターゲットNcs値は、68である。
【表１】
0006882460.tif 000007
【００９１】
例えば、表2に示されているNcsインデックスとNcs値との間のマッピングテーブルを参照すると、第1の通知シグナリングの中で搬送されるターゲットNcsインデックスが12であるときに、ターゲットNcs値は、137である。
【表２】
0006882460.tif 000008
【００９２】
例えば、表3に示されているNcsインデックスとNcs値との間のマッピングテーブルを参照すると、第1の通知シグナリングの中で搬送されるターゲットNcsインデックスが11であるときに、ターゲットNcs値は、118である。
【表３】
0006882460.tif 000009
【００９３】
選択的に、NcsインデックスとNcs値との間のあらかじめ設定されたマッピングテーブルを修正してもよい。本明細書における修正は、新たなNcsインデックス及びその新たなNcsインデックスに対応するNcs値を追加することであってもよく、又は、その修正は、既存のNcsインデックスに対応するNcs値を修正することであってもよく、又は、その修正は、既存のNcsインデックス及びそのNcsインデックスに対応するNcs値を削除することであってもよい。
【００９４】
選択的に、修正が、新たなNcsインデックス及びその新たなNcsインデックスに対応するNcs値を追加することであるときに、マッピングテーブルの中のいずれかの位置に、その新たなNcsインデックス及びその新たなNcsインデックスに対応するNcs値を追加してもよい。その追加されるNcs値が、いずれかの既存のNcs値よりも大きい場合には、その追加されるNcs値に対応するNcsインデックスが、新たに追加される。その追加されるNcs値が、既存のNcs値のうちの1つ又は複数よりも小さい場合には、その追加されるNcs値は、小さい順に、それらの既存のNcs値に挿入される。ある1つの実行可能な解決方法において、挿入後に得られるすべてのNcs値にNcsインデックスを再割り当てしてもよく、又は、他の実行可能な解決方法において、それらの追加されるNcs値に、新たなNcsインデックスを割り当ててもよい。このことは、本発明のこの実施形態においては限定されない。
【００９５】
選択的に、修正が、既存のNcsインデックス及びそのNcsインデックスに対応するNcs値を削除することであるときに、そのマッピングテーブルの中のいずれかのNcsインデックス及びそのNcsインデックスに対応するNcs値を削除してもよい。ある1つの実行可能な解決方法において、既存のNcsインデックス及びそのNcsインデックスに対応するNcs値を削除した後に、削除後に得られるNcs値に、Ncsインデックスを再割り当てしてもよく、又は、他の実行可能な解決方法において、削除の後に、元のNcsインデックスが保持される。このことは、本発明のこの実施形態においては限定されない。
【００９６】
例えば、表4に示されているNcsインデックスとNcs値との間のマッピングテーブルを参照すると、表4に示されているNcsインデックスとNcs値との間のマッピングテーブルは、表2に示されているNcsインデックスとNcs値との間のマッピングテーブルに、新たなNcsインデックス及びその新たなNcsインデックスに対応するNcs値を追加した場合を示している。既存のNcsインデックスの中に、その新たなインデックスを挿入してもよい。予め設定されたNcs値が、137以下である場合には、その挿入された新たなNcsインデックスに対応するNcs値は、もちろん、137よりも小さくなる。したがって、その新たなNcsインデックスは、いずれかの位置に、例えば、表4に示されているNcsインデックス8の後に続く位置に挿入され、その新たなNcsインデックスX及びその新たなNcsインデックスに対応するNcs値は、NcsインデックスとNcs値との間のマッピングテーブルの中に格納される。
【表４】
0006882460.tif 000010
【００９７】
例えば、表5に示されているNcsインデックスとNcs値との間のマッピングテーブルを参照すると、表5に示されているNcsインデックスとNcs値との間のマッピングテーブルは、表3に示されているNcsインデックスとNcs値との間のマッピングテーブルに、新たなNcsインデックス及びその新たなNcsインデックスに対応するNcs値を追加した場合を示している。既存のNcsインデックスの中に、その新たなインデックスを挿入してもよい。予め設定されたNcs値が、137以下である場合には、その挿入された新たなNcsインデックスに対応するNcs値は、もちろん、137よりも小さくなる。したがって、その新たなNcsインデックスは、いずれかの位置に、例えば、表5に示されているNcsインデックス6の後に続く位置に挿入され、その新たなNcsインデックスX及びその新たなNcsインデックスに対応するNcs値は、NcsインデックスとNcs値との間のマッピングテーブルの中に格納される。
【表５】
0006882460.tif 000011
【００９８】
ある1つの実行可能な解決方法において、第1の通知シグナリングは、基地局によってUEとの間で合意されるとともに、サイクリックシフト値を算出する解決方法を決定するのに使用されるシグナリングである。例えば、第1の通知シグナリングは、第1の解決方法を使用することによってサイクリックシフト値を算出するようにUEに指示するのに使用される。UEが、少なくとも、その第1の通知シグナリングを受信するときには、そのUEは、第1の解決方法を使用することによってサイクリックシフト値を算出することを決定する。
【００９９】
他の実行可能な解決方法において、第1の通知シグナリングは、さらに、高速度フラグビットを搬送し、その高速度フラグビットは、サイクリックシフト値を算出する解決方法を示すのに使用される。ある1つの実行可能な解決方法において、複数の異なる識別子が存在するときに、その高速度フラグビットは、サイクリックシフト値を算出する複数の異なる解決方法を示してもよい。例えば、このステップにおいて、UEが、第1の解決方法を使用することによってサイクリックシフト値を算出することを決定することは、具体的には、その高速度フラグビットが第1のあらかじめ設定された識別子である場合に、そのUEが、第1の解決方法を使用することによってサイクリックシフト値を算出することを決定することであってもよい。
【０１００】
このステップのほかに、高速度フラグビットが第2のあらかじめ設定された識別子である場合に、UEは、第2の解決方法を使用することによってサイクリックシフト値を算出することを決定するか、又は、高速度フラグビットが第3のあらかじめ設定された識別子である場合に、UEは、第3の解決方法を使用することによってサイクリックシフト値を算出することを決定する。第2の解決方法は、そのUEのドップラーシフトが、第3のあらかじめ設定された値よりも大きく、かつ、第2のあらかじめ設定された値よりも小さいときのサイクリックシフト値を算出する解決方法であり、第3の解決方法は、そのUEのドップラーシフトが、第3のあらかじめ設定された値よりも小さいときのサイクリックシフト値を算出する解決方法であり、第3あらかじめ設定された値は、第2あらかじめ設定された値よりも小さい。選択的に、第3のあらかじめ設定された値は、ユーザが、低速度の又は静止した状態にあるときに得られる最大周波数シフトしきい値を示すのに使用される。
【０１０１】
選択的に、第1の通知シグナリングは、システム情報及び/又はモバイル制御情報の中に含まれてもよい。例えば、基地局は、送られるべきシステム情報及び/又はモバイル制御情報に第1の通知シグナリングを追加してもよく、それにより、第1の通知シグナリングを送る。
【０１０２】
実際の状況に基づいて、対応する条件に、UEのドップラーシフトが第1のあらかじめ設定された値と等しい場合、UEのドップラーシフトが第2のあらかじめ設定された値と等しい場合、及び、UEのドップラーシフトが第3あらかじめ設定された値に等しい場合を追加してもよいということに留意すべきである。例えば、UEのドップラーシフトが第1あらかじめ設定された値に等しい場合は、第1解決方法を実行するための条件に追加されてもよく、又は、第2解決方法を実行するための条件に追加されてもよい。このことは、本発明のこの実施形態においては限定されない。
【０１０３】
102.  UEは、第1の論理ルートシーケンス番号を取得し、そして、第1の論理ルートシーケンス番号に基づいて、ルートシーケンスを決定する。
【０１０４】
第1の通知シグナリングは、さらに、論理ルートシーケンス番号を搬送する。UEは、その第1の通知シグナリングの中で搬送される論理ルートシーケンス番号を第1の論理ルートシーケンス番号として直接的に決定する。
【０１０５】
さらに、UEが、第1の論理ルートシーケンス番号に基づいてルートシーケンスを決定することは、具体的には、UEが、論理ルートシーケンス番号と物理ルートシーケンス番号との間のマッピングテーブルを検索して、第1の論理ルートシーケンス番号に対応する第1の物理ルートシーケンス番号を取得し、そして、第1の物理ルートシーケンス番号を使用することによってルートシーケンスを決定することであってもよい。
【０１０６】
103.  UEは、ルートシーケンス及びサイクリックシフト値に基づいて、ランダムアクセスプリアンブルシーケンスを生成する。
【０１０７】
ランダムアクセスプリアンブルシーケンスは、第1の解決方法を使用することによって算出されるサイクリックシフト値及び第1の論理ルートシーケンス番号に基づいて決定されるルートシーケンスに基づいて生成される。
【０１０８】
選択的に、第1の通知シグナリングは、さらに、競合ベースのランダムアクセスプリアンブルシーケンスの数を搬送し、UEがランダムアクセスプリアンブルシーケンスを生成した後に、そのUEは、第1の通知シグナリングの中で搬送される競合ベースのランダムアクセスプリアンブルシーケンスの数を第1の割り当て数として決定する。
【０１０９】
選択的に、UEが、基地局が送る第1の通知シグナリングを受信した後に、そのUEが、第1の解決方法を使用することによってサイクリックシフト値を算出することを決定するステップと、そのUEが、第1の論理値を取得し、そして、第1の論理ルートシーケンス番号に基づいてルートシーケンスを決定するステップとの間に、シーケンスは存在しない。
【０１１０】
例えば、基地局は、UEに、第1の通知シグナリングを送ってもよい。その第1の通知シグナリングは、第1の論理ルートシーケンス番号、プリアンブルフォーマット、及びターゲットNcsインデックスを搬送する。UEが第1の通知シグナリングを受信した後に、そのUEは、あらかじめ設定された対応関係に基づいて、物理ルートシーケンス番号uを決定し、そして、さらに、ルートシーケンスxu(n)を決定し、
【数６】
0006882460.tif 000012
である。NZCについては、図1に示されている実施形態の関連する説明を参照すべきである。
【０１１１】
その次に、UEは、ターゲットNcsインデックスに基づいてNcsとを決定し、そして、Ncs値に基づいて、第1の解決方法を使用することによって、サイクリックシフト値Cvを算出する。
【０１１２】
最後に、ランダムアクセスプリアンブルシーケンスxu,v(n)は、ルートシーケンスxu(n)及びサイクリックシフト値Cvに基づいて生成され、xu,v(n)は、
【数７】
0006882460.tif 000013
である。
【０１１３】
本発明のこの実施形態においては、UEが、基地局が送った第1の通知シグナリングを受信するときに、そのUEは、第1の解決方法を使用することによってサイクリックシフト値を算出することを決定し、そのUEは、第1の論理ルートシーケンス番号を取得し、その第1の論理ルートシーケンス番号に基づいてルートシーケンスを決定し、そして、そのUEは、ルートシーケンス及びサイクリックシフト値に基づいて、ランダムアクセスプリアンブルシーケンスを生成する。第1の解決方法は、そのUEのドップラーシフトが、第1のあらかじめ設定された値よりも小さく、かつ、第2のあらかじめ設定された値よりも大きいときのサイクリックシフト値を算出する解決方法である。この場合に、第1の通知シグナリングを使用するときに、そのUEのドップラーシフトが、PRACHサブキャリア間隔より大きく、かつ、そのPRACHサブキャリア間隔の2倍よりも小さい状態に特有のCv算出解決方法を使用することによって、サイクリックシフト値を算出することが可能であり、それによって、そのUEが、サイクリックシフト値及びルートシーケンスに基づいて生成されるランダムアクセスプリアンブルシーケンスを使用することによって、ランダムアクセスを実行するときに、複数のUEの間の相互の干渉を排除し、基地局がランダムアクセスシーケンスを検出するときにあやふやな検出が発生するという問題を解決する。
【０１１４】
図3を参照すると、図3は、本発明のある1つの実施形態にしたがったランダムアクセスプリアンブルシーケンス生成方法の概略的なフローチャートである。図3に示されているように、本発明のこの実施形態におけるランダムアクセスプリアンブルシーケンス生成方法は、ステップ201乃至ステップ207を含む。本発明のこの実施形態におけるランダムアクセスプリアンブルシーケンス生成方法は、ユーザ機器によって実行される。特定のプロセスについては、以下の詳細な説明を参照すべきである。
【０１１５】
201.  UEは、基地局が送った通知シグナリングを受信する。
【０１１６】
通知シグナリングは、第1の通知シグナリング及び/又は第2の通知シグナリングを含み、第2の通知シグナリングは、第2の解決方法又は第3の解決方法を使用することによってサイクリックシフト値を算出するようにUEに指示するのに使用される。第2の解決方法は、UEのドップラーシフトが、第3のあらかじめ設定された値よりも大きく、かつ、第2のあらかじめ設定された値よりも小さいときのサイクリックシフト値を算出する解決方法であり、第3の解決方法は、UEの前記ドップラーシフトが、第3のあらかじめ設定された値よりも小さいときのサイクリックシフト値を算出する解決方法であり、第3のあらかじめ設定された値は、第2のあらかじめ設定された値よりも小さい。
【０１１７】
実行可能な解決方法において、第2の通知シグナリングは、高速度フラグビット及びNcsインデックスを搬送する。UEは、第2の解決方法又は第3の解決方法を使用することによって、サイクリックシフト値を算出する。例えば、高速度フラグビットが"真"である場合には、そのUEは、第2の解決方法を使用することによって、Ncsインデックスに基づいて、サイクリックシフト値を算出し、或いは、高速度フラグビットが"偽"である場合には、そのUEは、第3の解決方法を使用することによって、Ncsインデックスに基づいて、サイクリックシフト値を算出する。
【０１１８】
選択的に、第1の通知シグナリングは、システム情報及び/又はモバイル制御情報の中に含まれていてもよく、第2の通知シグナリングは、システム情報及び/又はモバイル制御情報の中に含まれていてもよい。例えば、基地局は、送られるべきシステム情報及び/又はモバイル制御情報に第1の通知シグナリングを追加してもよく、それにより、第1の通知シグナリングを送る。
【０１１９】
ある1つの実行可能な解決方法において、UEは、基地局が送った第1の通知シグナリングのみを受信してもよく、或いは、UEは、基地局が送った第2の通知シグナリングのみを受信し、或いは、UEは、基地局が送る第1の通知シグナリング及び第2の通知シグナリングを受信する。
【０１２０】
202.  UEが、基地局が送った第1の通知シグナリングを受信するときに、UEは、第1の解決方法を使用することによってサイクリックシフト値を算出することを決定する。
【０１２１】
第1の解決方法は、UEのドップラーシフトが、第1のあらかじめ設定された値よりも小さく、かつ、第2のあらかじめ設定された値よりも大きいときのサイクリックシフト値を算出する解決方法であり、第1のあらかじめ設定された値は、物理ランダムアクセスチャネルPRACHサブキャリア間隔の2倍以下であり、第2のあらかじめ設定された値は、PRACHサブキャリア間隔以上であり、第1のあらかじめ設定された値は、第2のあらかじめ設定された値よりも大きい。
【０１２２】
第1の通知シグナリングは、ターゲットNcsインデックスを搬送する。このステップにおいて、UEが、第1の解決方法を使用することによってサイクリックシフト値を算出することを決定することは、特に、UEが、NcsインデックスとNcs値との間のあらかじめ設定されたマッピングテーブルに基づいて、ターゲットNcsインデックスに対応するターゲットNcs値を取得し、そして、UEが、第1の解決方法を使用することによって、ターゲットNcs値に基づいて、サイクリックシフト値を算出することである。
【０１２３】
NcsインデックスとNcs値との間のマッピングテーブルは、あらかじめ設定されている。本発明のこの実施形態においては、NcsインデックスとNcs値との間のマッピングテーブルの中のNcsインデックスの数及びNcsインデックスの特定の値には、いかなる制限も課されず、また、Ncsインデックスに対応するNcs値にも、いかなる制限も課されない。
【０１２４】
選択的に、NcsインデックスとNcs値との間のマッピングテーブルの中のNcsインデックスに対応するNcs値は、137以下であるか、又は、NcsインデックスとNcs値との間のマッピングテーブルの中のNcsインデックスに対応するNcs値は、158以下である。さらに、選択的に、NcsインデックスとNcs値との間のマッピングテーブルの中のNcsインデックスの数は、13以下である。
【０１２５】
さらに、UEが第1の解決方法を使用することによってサイクリックシフト値を算出するか否かを決定する複数の実装解決方法は、以下の2つの場合によって個別に説明されてもよい。
【０１２６】
第1の実行可能な解決方法において、UEは、受信した通知シグナリングに基づいて、サイクリックシフト値を算出する解決方法を決定してもよい。例えば、第1の通知シグナリングは、UEが少なくとも第1の通知シグナリングを受信した後に、第1の解決方法を使用することによってサイクリックシフト値を算出することを決定するようにUEに指示するのに使用され、第2の通知シグナリングは、UEが第2の通知シグナリングのみを受信した後に、第2の解決方法又は第3の解決方法を使用することによってサイクリックシフト値を算出することを決定するようにUEに指示するのに使用される。
【０１２７】
具体的には、ユーザ機器UEが、基地局が送った第1の通知シグナリングを受信するときに、UEが、第1の解決方法を使用することによってサイクリックシフト値を算出することを決定することは、具体的には、UEが、基地局が送った第1の通知シグナリングのみを受信するときに、UEが、第1の解決方法を使用することによってサイクリックシフト値を算出することを決定することであってもよく、或いは、UEが、基地局が送る第1の通知シグナリング及び第2の通知シグナリングを受信するときに、UEが、第1の解決方法を使用することによってサイクリックシフト値を計算することを決定することであってもよい。
【０１２８】
第2の実行可能な解決方法において、第1の通知シグナリングは、高速度フラグビットを搬送する。UEが第1の通知シグナリングを受信するときに、そのUEは、搬送されている高速度フラグビットを決定して、第1の解決方法を使用することによってサイクリックシフト値を算出するべきか否かを決定する。
【０１２９】
具体的には、ユーザ機器UEが、基地局が送った第1の通知シグナリングを受信するときに、UEが、第1の解決方法を使用することによってサイクリックシフト値を算出することを決定することは、具体的には、高速度フラグビットが第4のあらかじめ設定された識別子である場合に、UEが、第1の解決方法を使用することによってサイクリックシフト値を算出することを決定することであってもよい。
【０１３０】
選択的に、第1の通知シグナリングの中で搬送されている高速度フラグビットが第4のあらかじめ設定された識別子ではない場合には、UEは、代替的に、高速度フラグビットが第5のあらかじめ設定された識別子である場合に、UEが、基地局が送った第2の通知シグナリングを受信するときは、そのUEは、第2の通知シグナリングにしたがって、第2の解決方法又は第3の解決方法を使用することによってサイクリックシフト値を算出することを決定する、という動作を実行してもよい。算出によってサイクリックシフト値を取得した後に、UEは、ステップ203からステップ206までを継続して実行して、ランダムアクセスプリアンブルシーケンスを生成する。
【０１３１】
選択的に、第1の実行可能な解決方法及び第2の実行可能な解決方法については、ステップ201の後に、さらに、UEが、基地局が送った第1の通知シグナリングを受信しないが、基地局が送った第2の通知シグナリングを受信する場合に、UEは、第2の解決方法又は第3の解決方法を使用することによってサイクリックシフト値を算出することを決定するというステップ207を実行してもよい。算出によってサイクリックシフト値を取得した後に、UEは、ステップ203からステップ206までを継続して実行して、ランダムアクセスプリアンブルシーケンスを生成する。
【０１３２】
実際の状況に基づいて、対応する条件に、UEのドップラーシフトが第1のあらかじめ設定された値と等しい場合、UEのドップラーシフトが第2のあらかじめ設定された値と等しい場合、及び、UEのドップラーシフトが第3あらかじめ設定された値に等しい場合を追加してもよいということに留意すべきである。例えば、UEのドップラーシフトが第1あらかじめ設定された値に等しい場合は、第1解決方法を実行するための条件に追加されてもよく、又は、第2解決方法を実行するための条件に追加されてもよい。このことは、本発明のこの実施形態においては限定されない。
【０１３３】
203.  UEは、第1の論理ルートシーケンス番号を取得し、そして、第1の論理ルートシーケンス番号に基づいて、ルートシーケンスを決定する。
【０１３４】
ある1つの実行可能な解決方法において、第1の通知シグナリングは、論理ルートシーケンス番号を搬送し、そして、UEは、第1の通知シグナリングの中で搬送される論理ルートシーケンス番号を第1の論理ルートシーケンス番号として決定してもよい。選択的に、第2の通知シグナリングは、論理ルートシーケンス番号を搬送するので、基地局は、第1の通知シグナリング及び第2の通知シグナリングの中に複数の異なる論理ルートシーケンス番号を構成してもよい。このことは、第1の通知シグナリングを使用することによってアクセスを実行するUEが、第2の通知シグナリングを使用することによってアクセスを実行するUEと衝突する確率を減少させることを可能とし、ランダムアクセス時間を短縮することを可能とし、そして、ランダムアクセス効率を改善することを可能とする。
【０１３５】
他の実行可能な解決方法において、第2の通知シグナリングは、論理ルートシーケンス番号を搬送する。したがって、第1の通知シグナリングが論理ルートシーケンス番号を搬送していない場合に、UEが第1の通知シグナリング及び第2の通知シグナリングを受信するときは、そのUEは、 第2の通知シグナリングの中で搬送される論理ルートシーケンス番号を第1の論理ルートシーケンス番号として決定する。
【０１３６】
204.  UEは、ルートシーケンス及びサイクリックシフト値に基づいて、ランダムアクセスプリアンブルシーケンスを生成する。
【０１３７】
ランダムアクセスプリアンブルシーケンスは、ステップ202において算出されたサイクリックシフト値及びステップ203において決定されたルートシーケンスを使用することによって生成される。
【０１３８】
205.  UEは、競合ベースのランダムアクセスプリアンブルシーケンスの第1の割り当て数を取得する。
【０１３９】
ある1つの実行可能な解決方法において、第1の通知シグナリングは、競合ベースのランダムアクセスプリアンブルシーケンスの数を搬送し、そして、UEは、第1の通知シグナリングの中で搬送される競合ベースのランダムアクセスプリアンブルシーケンスの数を第1の割り当て数として決定してもよい。選択的に、第2の通知シグナリングは、競合ベースのランダムアクセスプリアンブルシーケンスの数を搬送しているので、基地局は、第1の通知シグナリング及び第2の通知シグナリングの各々の中に、競合ベースのランダムアクセスプリアンブルシーケンスの数を構成してもよく、それによって、ランダムアクセスプリアンブルシーケンスリソースを柔軟に割り当てることが可能である。
【０１４０】
他の実行可能な解決方法において、第2の通知シグナリングは、競合ベースのランダムアクセスプリアンブルシーケンスの数を搬送する。したがって、第1の通知シグナリングが競合ベースのランダムアクセスプリアンブルシーケンスの数を搬送していない場合に、UEが、第1の通知シグナリング及び第2の通知シグナリングを受信するときは、そのUEは、第2の通知シグナリングの中で搬送される競合ベースのランダムアクセスプリアンブルシーケンスの数を第1の割り当て数として決定する。
【０１４１】
206.  UEは、生成されたランダムアクセスプリアンブルシーケンスから、競合ベースのランダムアクセスプリアンブルシーケンスとして、第1の割り当て数のランダムアクセスプリアンブルシーケンスを選択する。
【０１４２】
例えば、生成されるランダムアクセスプリアンブルシーケンスの合計数は、LTEシステムにおいては、64である。第1の割り当て数が32である場合には、生成されたランダムアクセスプリアンブルシーケンスから、競合ベースのランダムアクセスプリアンブルシーケンスとして、32個のランダムアクセスプリアンブルシーケンスを選択する。選択的に、残りのランダムアクセスプリアンブルシーケンスは、非競合ベースのランダムアクセスプリアンブルシーケンスとして使用される。
【０１４３】
本発明のこの実施形態においては、UEが、基地局が送った第1の通知シグナリングを受信するときに、そのUEは、第1の解決方法を使用することによってサイクリックシフト値を算出することを決定し、そのUEは、第1の論理ルートシーケンス番号を取得し、その第1の論理ルートシーケンス番号に基づいてルートシーケンスを決定し、そして、そのUEは、ルートシーケンス及びサイクリックシフト値に基づいて、ランダムアクセスプリアンブルシーケンスを生成する。第1の解決方法は、そのUEのドップラーシフトが、第1のあらかじめ設定された値よりも小さく、かつ、第2のあらかじめ設定された値よりも大きいときのサイクリックシフト値を算出する解決方法である。この場合に、第1の通知シグナリングを受信するときは、そのUEのドップラーシフトが、PRACHサブキャリア間隔より大きく、かつ、そのPRACHサブキャリア間隔の2倍よりも小さい状態に特有のCv算出解決方法を使用することによって、サイクリックシフト値を算出することが可能であり、それによって、そのUEが、サイクリックシフト値及びルートシーケンスに基づいて生成されるランダムアクセスプリアンブルシーケンスを使用することによって、ランダムアクセスを実行するときに、複数のUEの間の相互の干渉を排除し、基地局がランダムアクセスシーケンスを検出するときにあやふやな検出が発生するという問題を解決する。
【０１４４】
上記の記載は、主に、ユーザ機器の観点から、本発明の複数の実施形態における解決方法を説明している。上記の機能を実装するために、ユーザ機器は、機能を実行するための対応するハードウェア構造及び/又はソフトウェアモジュールを含むということを理解することが可能である。当業者は、本明細書に開示されている複数の実施形態において説明されている複数の例におけるユニット及びアルゴリズムステップを参照して、ハードウェアを使用することによって、又は、ハードウェア及びコンピュータソフトウェアの組み合わせを使用することによって、本発明を実装することが可能であるということを容易に認識することが可能である。機能が、ハードウェアによって実行されるか、又は、コンピュータソフトウェアによって駆動されるハードウェアによって実行されるかは、特定の適用及び技術的解決方法の設計上の制約によって決まる。当業者は、複数の異なる方法を使用して、各々の特定の適用について、説明した機能を実装することが可能であるが、その実装は、本発明の範囲を超えると解釈されるべきではない。
【０１４５】
本発明の複数の実施形態において、上記の方法の複数の例に基づいて、ユーザ機器を複数の機能的なユニットに分割してもよい。例えば、対応する機能に基づく分割によって、各々の機能的なユニットを取得してもよく、或いは、2つ又はそれ以上の機能を一体化して、1つの処理ユニットとしてもよい。その一体化されたユニットは、ハードウェアの形態で実装されてもよく、或いは、ソフトウェア機能ユニットの形態で実装されてもよい。本発明の複数の実施形態におけるユニットの分割は、ある1つの例であり、論理的な機能の分割であるにすぎないということに留意すべきである。実際の実装においては、他の分割方式が存在してもよい。
【０１４６】
図4は、本発明のある1つの実施形態にしたがったユーザ機器の概略的なモジュール図である。本発明のこの実施形態におけるユーザ機器は、図2及び図3における実施形態のうちのいずれか1つによって提供されるユーザ機器であってもよい。図4に示されているように、本発明のこの実施形態におけるユーザ機器1は、シグナリング受信ユニット11、サイクリックシフト値決定ユニット12、シーケンス番号取得ユニット13、ルートシーケンス決定ユニット14、及びシーケンス生成ユニット15を含んでもよい。選択的に、ユーザ機器1は、数取得ユニット16及びシーケンス選択ユニット17をさらに含んでもよい。
【０１４７】
シグナリング受信ユニット11は、基地局が送った第1の通知シグナリングを受信するように構成される。
【０１４８】
サイクリックシフト値決定ユニット12は、第1の通知シグナリングを受信するときに、第1の解決方法を使用することによってサイクリックシフト値を算出することを決定するように構成される。
【０１４９】
シーケンス番号取得ユニット13は、第1の論理ルートシーケンス番号を取得するように構成される。
【０１５０】
ルートシーケンス決定ユニット14は、第1の論理ルートシーケンス番号に基づいて、ルートシーケンスを決定するように構成される。
【０１５１】
シーケンス生成ユニット15は、ルートシーケンス及びサイクリックシフト値に基づいて、ランダムアクセスプリアンブルシーケンスを生成するように構成される。
【０１５２】
第1の解決方法は、UEのドップラーシフトが、第1のあらかじめ設定された値よりも小さく、かつ、第2のあらかじめ設定された値よりも大きいときのサイクリックシフト値を算出する解決方法であり、第1のあらかじめ設定された値は、物理ランダムアクセスチャネルPRACHサブキャリア間隔の2倍以下であり、第2のあらかじめ設定された値は、PRACHサブキャリア間隔の17倍以上であり、第1のあらかじめ設定された値は、第2のあらかじめ設定された値よりも大きい。
【０１５３】
さらに、第1の通知シグナリングは、ターゲットNcsインデックスを搬送し、サイクリックシフト値決定ユニット12は、Ncs値取得ユニット及びサイクリックシフト値算出ユニットを含む。
【０１５４】
Ncs値取得ユニットは、基地局が送った第1の通知シグナリングを受信するときに、NcsインデックスとNcs値との間のあらかじめ設定されたマッピングテーブルに基づいて、ターゲットNcsインデックスに対応するターゲットNcs値を取得するように構成され、サイクリックシフト値算出ユニットは、ターゲットNcs値に基づいて、第1の解決方法を使用することによって、サイクリックシフト値を算出するように構成される。
【０１５５】
選択的に、本発明のこの実施形態においては、NcsインデックスとNcs値との間のマッピングテーブルの中のNcsインデックスの数及びNcsインデックスの特定の値には、いかなる制限も課されず、また、Ncsインデックスに対応するNcs値にも、いかなる制限も課されない。選択的に、NcsインデックスとNcs値との間のマッピングテーブルの中のNcsインデックスに対応するNcs値は、137以下であるか、又は、NcsインデックスとNcs値との間のマッピングテーブルの中のNcsインデックスに対応するNcs値は、158以下である。さらに、選択的に、NcsインデックスとNcs値との間のマッピングテーブルの中のNcsインデックスの数は、13以下である。
【０１５６】
例えば、NcsインデックスとNcs値との間のマッピングテーブルの中のNcsインデックスの数が13である場合に、例えば、Ncsインデックスが0から12までの整数である場合には、Ncsインデックスに対応するNcs値は、それぞれ、15、18、22、26、32、38、46、55、68、82、100、128、及び137である。
【０１５７】
ある1つの選択的な解決方法において、第1の通知シグナリングは、さらに、高速度フラグビットを搬送し、高速度フラグビットは、サイクリックシフト値を算出する解決方法を示すのに使用され、サイクリックシフト値決定ユニット12は、さらに、基地局が送った第1の通知シグナリングを受信するときに、高速度フラグビットが第1のあらかじめ設定された識別子である場合には、第1の解決方法を使用することによってサイクリックシフト値を算出することを決定するように構成される。
【０１５８】
選択的に、サイクリックシフト値決定ユニット12は、さらに、
基地局が送った第1の通知シグナリングを受信するときに、高速度フラグビットが第2のあらかじめ設定された識別子である場合には、第2の解決方法を使用することによってサイクリックシフト値を算出することを決定するか、又は、
基地局が送った第1の通知シグナリングを受信するときに、高速度フラグビットが第3のあらかじめ設定された識別子である場合には、第3の解決方法を使用することによってサイクリックシフト値を算出することを決定する、ように構成される。
【０１５９】
第2の解決方法は、UEのドップラーシフトが、第3のあらかじめ設定された値よりも大きく、かつ、第2のあらかじめ設定された値よりも小さいときのサイクリックシフト値を算出する解決方法であり、
第3の解決方法は、UEのドップラーシフトが、第3のあらかじめ設定された値よりも小さいときのサイクリックシフト値を算出する解決方法であり、
第3のあらかじめ設定された値は、第2のあらかじめ設定された値よりも小さい。
【０１６０】
選択的に、シグナリング受信ユニット11は、さらに、基地局が送った通知シグナリングを受信するように構成され、通知シグナリングは、第1の通知シグナリング及び/又は第2の通知シグナリングを含み、第2の通知シグナリングは、第2の解決方法又は第3の解決方法を使用することによってサイクリックシフト値を算出するようにUEに指示するのに使用される。
【０１６１】
第2の解決方法は、UEのドップラーシフトが、第3のあらかじめ設定された値よりも大きく、かつ、第2のあらかじめ設定された値よりも小さいときのサイクリックシフト値を算出する解決方法であり、第3の解決方法は、UEのドップラーシフトが、第3のあらかじめ設定された値よりも小さいときのサイクリックシフト値を算出する解決方法であり、第3のあらかじめ設定された値は、第2のあらかじめ設定された値よりも小さい。
【０１６２】
他の実行可能な解決方法において、サイクリックシフト値決定ユニット12は、さらに、基地局が送った第1の通知シグナリングのみを受信するときに、第1の解決方法を使用することによってサイクリックシフト値を算出することを決定するように構成されるか、又は、サイクリックシフト値決定ユニット12は、さらに、基地局が送る第1の通知シグナリング及び第2の通知シグナリングを受信するときに、第1の解決方法を使用することによってサイクリックシフト値を算出することを決定するように構成される。
【０１６３】
選択的に、サイクリックシフト値決定ユニットは、さらに、基地局が送った第1の通知シグナリングを受信しないが、基地局が送った第2の通知シグナリングを受信する場合に、第2の解決方法又は第3の解決方法を使用することによってサイクリックシフト値を算出することを決定するように構成される。
【０１６４】
他の実行可能な解決方法において、第1の通知シグナリングは、さらに、高速度フラグビットを搬送し、サイクリックシフト値決定ユニット12は、さらに、基地局が送った第1の通知シグナリングを受信するときに、高速度フラグビットが第1のあらかじめ設定された識別子である場合には、第1の解決方法を使用することによってサイクリックシフト値を算出することを決定するように構成される。
【０１６５】
選択的に、サイクリックシフト値決定ユニット12は、さらに、基地局が送る第1の通知シグナリング及び第2の通知シグナリングを受信するときに、高速度フラグビットが第2のあらかじめ設定された識別子である場合には、第2の解決方法又は第3の解決方法を使用することによってサイクリックシフト値を算出することを第2の通知シグナリングにしたがって決定するように構成される。
【０１６６】
シーケンス番号取得ユニット13が取得する第1の論理ルートシーケンス番号については、ある1つの実行可能な解決方法において、第1の通知シグナリングは、論理ルートシーケンス番号を搬送し、それによって、基地局は、第1の通知シグナリング及び第2の通知シグナリングの中に複数の異なる論理ルートシーケンス番号を構成することが可能である。このことは、第1の通知シグナリングを使用することによってアクセスを実行するUEが、第2の通知シグナリングを使用することによってアクセスを実行するUEと衝突する確率を減少させることを可能とし、ランダムアクセス時間を短縮することを可能とし、そして、ランダムアクセス効率を改善することを可能とする。
【０１６７】
シーケンス番号取得ユニット13は、さらに、第1の通知シグナリングの中で搬送される論理ルートシーケンス番号を第1の論理ルートシーケンス番号として決定するように構成される。他の実行可能な解決方法において、第2の通知シグナリングは、論理ルートシーケンス番号を搬送し、シーケンス番号取得ユニット13は、さらに、第1の通知シグナリングが論理ルートシーケンス番号を搬送していない場合に、第1の通知シグナリング及び第2の通知シグナリングを受信するときは、第2の通知シグナリングの中で搬送される論理ルートシーケンス番号を第1の論理ルートシーケンス番号として決定するように構成される。
【０１６８】
選択的に、ユーザ機器は、数取得ユニット16及びシーケンス選択ユニット17をさらに含む。
【０１６９】
数取得ユニット16は、競合ベースのランダムアクセスプリアンブルシーケンスの第1の割り当て数を取得するように構成される。
【０１７０】
シーケンス選択ユニット17は、生成されたランダムアクセスプリアンブルシーケンスから、競合ベースのランダムアクセスプリアンブルシーケンスとして第1の割り当て数のランダムアクセスプリアンブルシーケンスを選択するように構成される。
【０１７１】
ある1つの実行可能な解決方法において、第1の通知シグナリングは、競合ベースのランダムアクセスプリアンブルシーケンスの数を搬送し、数取得ユニット16は、さらに、第1の通知シグナリングの中で搬送される競合ベースのランダムアクセスプリアンブルシーケンスの数を第1の割り当て数として決定するように構成される。選択的に、第2の通知シグナリングは、競合ベースのランダムアクセスプリアンブルシーケンスの数を搬送しているので、基地局は、第1の通知シグナリング及び第2の通知シグナリングの各々の中に、競合ベースのランダムアクセスプリアンブルシーケンスの数を構成してもよく、それによって、ランダムアクセスプリアンブルシーケンスリソースを柔軟に割り当てることが可能である。
【０１７２】
他の実行可能な解決方法において、第2の通知シグナリングは、競合ベースのランダムアクセスプリアンブルシーケンスの数を搬送し、数取得ユニット16は、さらに、第1の通知シグナリングが競合ベースのランダムアクセスプリアンブルシーケンスの数を搬送していない場合に、第1の通知シグナリング及び第2の通知シグナリングを受信するとき、第2の通知シグナリングの中で搬送される競合ベースのランダムアクセスプリアンブルシーケンスの数を第1の割り当て数として決定するように構成される。
【０１７３】
選択的に、第1の通知シグナリングは、システム情報及び/又はモバイル制御情報の中に含まれる。
【０１７４】
図4に示されている実施形態におけるユーザ機器の複数の機能的なユニットの複数の特定の実装及び技術的効果については、図2及び図3における複数の対応する方法の実施形態の具体的な説明を参照するべきであるということに留意すべきである。本明細書においては、詳細は繰り返しては説明されない。
【０１７５】
本発明のこの実施形態においては、UEが、基地局が送った第1の通知シグナリングを受信するときに、そのUEは、第1の解決方法を使用することによってサイクリックシフト値を算出することを決定し、そのUEは、第1の論理ルートシーケンス番号を取得し、その第1の論理ルートシーケンス番号に基づいてルートシーケンスを決定し、そして、そのUEは、ルートシーケンス及びサイクリックシフト値に基づいて、ランダムアクセスプリアンブルシーケンスを生成する。第1の解決方法は、そのUEのドップラーシフトが、第1のあらかじめ設定された値よりも小さく、かつ、第2のあらかじめ設定された値よりも大きいときのサイクリックシフト値を算出する解決方法である。この場合に、第1の通知シグナリングを受信するときは、そのUEのドップラーシフトが、PRACHサブキャリア間隔より大きく、かつ、そのPRACHサブキャリア間隔の2倍よりも小さい状態に特有のCv算出解決方法を使用することによって、サイクリックシフト値を算出することが可能であり、それによって、そのUEが、サイクリックシフト値及びルートシーケンスに基づいて生成されるランダムアクセスプリアンブルシーケンスを使用することによって、ランダムアクセスを実行するときに、複数のUEの間の相互の干渉を排除し、基地局がランダムアクセスシーケンスを検出するときにあやふやな検出が発生するという問題を解決する。
【０１７６】
図5に示されるユーザ機器を使用することによって、図4に示されている実施形態におけるユーザ機器を実装してもよい。図5に示されているように、図5は、本発明のある1つの実施形態にしたがったユーザ機器の概略な構成図である。図5に示されているユーザ機器1000は、電源1001、ユーザインターフェイス1002、メモリ1003、プロセッサ1004、ディスプレイシステム1005、センシングシステム1006、音声システム1007、受信機1008、及び送信機1009を含む。図5に示されているユーザ機器の構成は、本発明のこの実施形態に対するいかなる限定も構成しない。
【０１７７】
電源1001は、ユーザ機器1000の様々な機能を実装するための電力を確保する。ユーザインターフェイス1002は、ユーザ機器1000と他のデバイス又は装置とを接続して、他のデバイス又は装置とユーザ機器1000との間の通信又はデータ送信を実装するように構成される。受信機1008及び送信機1009は、ユーザ機器1000と基地局及び衛星等のデバイスとの間の通信又はデータ送信を実装するように構成され、さらに、ユーザ機器1000と他のユーザ機器との間の通信又はデータ送信を実装するように構成される。プロセッサ1004は、本発明によって開示された内容を参照して説明されている様々な例示的な論理ブロック、モジュール、及び回路を実装し又は実行してもよい。ディスプレイシステム1005は、情報を出力して表示し、そして、ユーザが入力した操作を受信するように構成される。センシングシステム1006は、温度センサ及び距離センサ等の様々なセンサを含む。音声システム1007は、音声信号を出力するように構成される。メモリ1003は、ユーザ機器1000のデータを格納し、又は、本発明の複数の解決方法を実行するのに使用されるアプリケーションプログラムコードを格納するように構成され、アプリケーションプログラムコードは、プロセッサ1004の制御の下で実行される。プロセッサ1004は、メモリ1003の中に格納されているアプリケーションプログラムコードを実行して、図2及び図3に示されているいずれかの実施形態によって提供されるユーザ機器の動作を実装するように構成される。
【０１７８】
プロセッサ1004は、本発明のこの実施形態に適用され、図4におけるサイクリックシフト値決定ユニット12、シーケンス番号取得ユニット13、ルートシーケンス決定ユニット14、シーケンス生成ユニット15、数取得ユニット16、及びシーケンス選択ユニット17の機能を実装するように構成される。受信機1008は、本発明のこの実施形態に適用され、シグナリング受信ユニット11の機能を実装するように構成される。
【０１７９】
例えば、受信機1008は、基地局が送った第1の通知シグナリングを受信するように構成される。
【０１８０】
プロセッサ1004は、第1の通知シグナリングを受信するときに、第1の解決方法を使用することによってサイクリックシフト値を算出することを決定するように構成される。
【０１８１】
プロセッサ1004は、さらに、第1の論理ルートシーケンス番号を取得するように構成される。
【０１８２】
プロセッサ1004は、さらに、第1の論理ルートシーケンス番号に基づいて、ルートシーケンスを決定するように構成される。
【０１８３】
プロセッサ1004は、さらに、ルートシーケンス及びサイクリックシフト値に基づいて、ランダムアクセスプリアンブルシーケンスを生成するように構成される。
【０１８４】
第1の解決方法は、UEのドップラーシフトが、第1のあらかじめ設定された値よりも小さく、かつ、第2のあらかじめ設定された値よりも大きいときのサイクリックシフト値を算出する解決方法であり、第1のあらかじめ設定された値は、物理ランダムアクセスチャネルPRACHサブキャリア間隔の2倍以下であり、第2のあらかじめ設定された値は、PRACHサブキャリア間隔以上であり、第1のあらかじめ設定された値は、第2のあらかじめ設定された値よりも大きい。
【０１８５】
第1の通知シグナリングは、ターゲットNcsインデックスを搬送する。
【０１８６】
プロセッサ1004は、さらに、基地局が送った第1の通知シグナリングを受信するときに、NcsインデックスとNcs値との間のあらかじめ設定されたマッピングテーブルに基づいて、ターゲットNcsインデックスに対応するターゲットNcs値を取得し、そして、ターゲットNcs値に基づいて、第1の解決方法を使用することによって、サイクリックシフト値を算出する、ように構成される。
【０１８７】
ある1つの可能な実施形態において、本発明のこの実施形態においては、NcsインデックスとNcs値との間のマッピングテーブルの中のNcsインデックスの数及びNcsインデックスの特定の値には、いかなる制限も課されず、また、Ncsインデックスに対応するNcs値にも、いかなる制限も課されない。選択的に、NcsインデックスとNcs値との間のマッピングテーブルの中のNcsインデックスに対応するNcs値は、137以下であるか、又は、NcsインデックスとNcs値との間のマッピングテーブルの中のNcsインデックスに対応するNcs値は、158以下である。さらに、選択的に、NcsインデックスとNcs値との間のマッピングテーブルの中のNcsインデックスの数は、13以下である。
【０１８８】
例えば、NcsインデックスとNcs値との間のマッピングテーブルの中のNcsインデックスの数が13であり、例えば、Ncsインデックスが0から12までの整数である場合には、Ncsインデックスに対応するNcs値は、それぞれ、15、18、22、26、32、38、46、55、68、82、100、128、及び137である。
【０１８９】
ある1つの可能な実施形態において、第1の通知シグナリングは、さらに、高速度フラグビットを搬送し、高速度フラグビットは、サイクリックシフト値を算出する解決方法を示すのに使用される。
【０１９０】
プロセッサ1004は、さらに、基地局が送った第1の通知シグナリングを受信するときに、高速度フラグビットが第1のあらかじめ設定された識別子である場合には、第1の解決方法を使用することによってサイクリックシフト値を算出することを決定するように構成される。
【０１９１】
ある1つの可能な実施形態において、プロセッサ1004は、さらに、
基地局が送った第1の通知シグナリングを受信するときに、高速度フラグビットが第2のあらかじめ設定された識別子である場合には、第2の解決方法を使用することによってサイクリックシフト値を算出することを決定するか、又は、
基地局が送った第1の通知シグナリングを受信するときに、高速度フラグビットが第3のあらかじめ設定された識別子である場合には、第3の解決方法を使用することによってサイクリックシフト値を算出することを決定する、ように構成される。
【０１９２】
第2の解決方法は、UEのドップラーシフトが、第3のあらかじめ設定された値よりも大きく、かつ、第2のあらかじめ設定された値よりも小さいときのサイクリックシフト値を算出する解決方法であり、
第3の解決方法は、UEのドップラーシフトが、第3のあらかじめ設定された値よりも小さいときのサイクリックシフト値を算出する解決方法であり、
第3のあらかじめ設定された値は、第2のあらかじめ設定された値よりも小さい。
【０１９３】
ある1つの可能な実施形態において、受信機1008は、さらに、基地局が送った通知シグナリングを受信するように構成され、通知シグナリングは、第1の通知シグナリング及び/又は第2の通知シグナリングを含み、第2の通知シグナリングは、第2の解決方法又は第3の解決方法を使用することによってサイクリックシフト値を算出するようにUEに指示するのに使用される。
【０１９４】
第2の解決方法は、UEのドップラーシフトが、第3のあらかじめ設定された値よりも大きく、かつ、第2のあらかじめ設定された値よりも小さいときのサイクリックシフト値を算出する解決方法であり、
第3の解決方法は、UEのドップラーシフトが、第3のあらかじめ設定された値よりも小さいときのサイクリックシフト値を算出する解決方法であり、
第3のあらかじめ設定された値は、第2のあらかじめ設定された値よりも小さい。
【０１９５】
ある1つの可能な実施形態において、プロセッサ1004は、さらに、基地局が送った第1の通知シグナリングのみを受信するときに、第1の解決方法を使用することによってサイクリックシフト値を算出することを決定するように構成されるか、又は、
プロセッサ1004は、さらに、基地局が送る第1の通知シグナリング及び第2の通知シグナリングを受信するときに、第1の解決方法を使用することによってサイクリックシフト値を算出することを決定するように構成される。
【０１９６】
ある1つの可能な実施形態において、プロセッサ1004は、さらに、基地局が送った第1の通知シグナリングを受信しないが、基地局が送った第2の通知シグナリングを受信する場合に、第2の解決方法又は第3の解決方法を使用することによってサイクリックシフト値を算出することを決定するように構成される。
【０１９７】
ある1つの可能な実施形態において、第1の通知シグナリングは、さらに、高速度フラグビットを搬送し、
プロセッサ1004は、さらに、基地局が送った第1の通知シグナリングを受信するときに、高速度フラグビットが第1のあらかじめ設定された識別子である場合には、第1の解決方法を使用することによってサイクリックシフト値を算出することを決定するように構成される。
【０１９８】
ある1つの可能な実施形態において、プロセッサ1004は、さらに、基地局が送る第1の通知シグナリング及び第2の通知シグナリングを受信するときに、高速度フラグビットが第2のあらかじめ設定された識別子である場合には、第2の解決方法又は第3の解決方法を使用することによってサイクリックシフト値を算出することを第2の通知シグナリングにしたがって決定するように構成される。
【０１９９】
ある1つの可能な実施形態において、第1の通知シグナリングは、論理ルートシーケンス番号を搬送し、
プロセッサ1004は、さらに、第1の通知シグナリングの中で搬送される論理ルートシーケンス番号を第1の論理ルートシーケンス番号として決定するように構成される。
【０２００】
ある1つの可能な実施形態において、第2の通知シグナリングは、論理ルートシーケンス番号を搬送し、
プロセッサ1004は、さらに、第1の通知シグナリングが論理ルートシーケンス番号を搬送していない場合に、第1の通知シグナリング及び第2の通知シグナリングを受信するときは、第2の通知シグナリングの中で搬送される論理ルートシーケンス番号を第1の論理ルートシーケンス番号として決定するように構成される。
【０２０１】
ある1つの可能な実施形態において、プロセッサ1004は、さらに、競合ベースのランダムアクセスプリアンブルシーケンスの第1の割り当て数を取得するように構成され、そして、
プロセッサ1004は、さらに、生成されたランダムアクセスプリアンブルシーケンスから、競合ベースのランダムアクセスプリアンブルシーケンスとして、第1の割り当て数のランダムアクセスプリアンブルシーケンスを選択するように構成される。
【０２０２】
ある1つの可能な実施形態において、第1の通知シグナリングは、競合ベースのランダムアクセスプリアンブルシーケンスの数を搬送し、
プロセッサ1004は、さらに、第1の通知シグナリングの中で搬送される競合ベースのランダムアクセスプリアンブルシーケンスの数を第1の割り当て数として決定するように構成される。
【０２０３】
ある1つの可能な実施形態において、第2の通知シグナリングは、競合ベースのランダムアクセスプリアンブルシーケンスの数を搬送し、
プロセッサ1004は、さらに、第1の通知シグナリングが競合ベースのランダムアクセスプリアンブルシーケンスの数を搬送していない場合に、第1の通知シグナリング及び第2の通知シグナリングを受信するときは、第2の通知シグナリングの中で搬送される競合ベースのランダムアクセスプリアンブルシーケンスの数を第1の割り当て数として決定するように構成される。
【０２０４】
ある1つの可能な実施形態において、第1の通知シグナリングは、システム情報及び/又はモバイル制御情報の中に含まれる。
【０２０５】
ある1つの可能な実施形態において、受信機1008は、基地局が送ったリソース構成メッセージを受信する。リソース構成メッセージは、ランダムアクセスプリアンブルシーケンスを送るための時間周波数リソースを示すのに使用される。競合ベースのランダムアクセスの場合には、ランダムアクセスプリアンブルシーケンスを生成した後に、プロセッサ1004は、競合ベースのランダムアクセスプリアンブルシーケンスからランダムアクセスプリアンブルシーケンスを選択する。送信機1009は、リソース構成メッセージの中で示される時間周波数リソースにおいて、その選択されたランダムアクセスプリアンブルシーケンスを送る。非競合ベースのランダムアクセスの場合には、受信機1008は、基地局が送るとともに、非競合ベースのランダムアクセスに使用されるランダムアクセスプリアンブルシーケンスを受信し、そして、送信機1009は、リソース構成メッセージの中で示される時間周波数リソースにおいて、非競合ベースのランダムアクセスに使用されるランダムアクセスプリアンブルシーケンスを送る。
【０２０６】
本発明のある1つの実施形態は、さらに、コンピュータ記憶媒体を提供し、そのコンピュータ記憶媒体は、上記のユーザ機器が使用するコンピュータソフトウェア命令を格納するように構成される。そのコンピュータソフトウェア命令は、プログラムを含み、そのプログラムは、ユーザ機器が、上記の複数の態様を実行して、図2及び図3に示されているいずれかの実施形態におけるユーザ機器の動作を実装するように設計される。
【０２０７】
上記の複数の実施形態において、各々の実施形態の説明は、それぞれの焦点を有している。ある1つの実施形態において詳細には説明されていない部分については、他の実施形態における関連する説明を参照すべきである。
【０２０８】
説明を簡素化するために、上記の方法の実施形態は、一連の動作の組み合わせとして表現されるということに留意すべきである。一方で、当業者は、本発明によれば、複数のステップのうちのいくつかが、他のシーケンスで実行されてもよく、又は、同時に実行されてもよいので、本発明は、説明された動作シーケンスによって限定されないということを理解するはずである。加えて、当業者は、また、明細書において説明されている複数の実施形態のすべてが好ましい実施形態であり、関連する動作及びモジュールは、必ずしも、本発明に必須ではないということを理解するはずである。
【０２０９】
この出願によって提供される複数の実施形態において、他の方式によって、それらの開示されている装置を実装してもよいということを理解すべきである。例えば、説明されている装置の実施形態は、ある1つの例に過ぎない。例えば、ユニットの分割は、論理的な機能の分割であるにすぎず、実際の実装においては、他の分割であってもよい。例えば、複数のユニット又は構成要素を組み合わせ、又は、一体化して、他のシステムとしてもよく、或いは、いくつかの特徴を無視してもよく又は実行しなくてもよい。加えて、いくつかのインターフェースによって、示され又は議論されている相互結合又は直接結合又は通信接続を実装してもよい。電気的に又は他の形態で、装置又はユニットの間の間接的な結合又は通信接続を実装してもよい。
【０２１０】
個別の部分として説明されている複数のユニットは、物理的に分離されていてもよく、又は、物理的に分離されていなくてもよく、複数のユニットとして示されている部分は、複数の物理的なユニットであってもよく、又は、複数の物理的なユニットでなくてもよく、1つの場所に位置していてもよく、又は、複数のネットワークユニットに分散していてもよい。実際の要件に基づいて、複数のユニットのうちの一部又はすべてを選択して、それらの複数の実施形態の解決方法の目的を達成してもよい。
【０２１１】
加えて、本発明の複数の実施形態における複数の機能的なユニットを一体化して、1つの処理ユニットとしてもよく、又は、それらの複数のユニットの各々は、物理的に単独で存在していてもよく、又は、2つ又はそれ以上のユニットを一体化して、1つのユニットとしてもよい。その一体化されたユニットは、ハードウェアの形態で実装されてもよく、又は、ソフトウェア機能ユニットの形態で実装されてもよい。
【０２１２】
上記の複数の一体化されたユニットが、ソフトウェア機能ユニットの形態で実装され、独立した製品として販売され又は使用されるときは、コンピュータ読み取り可能な記憶媒体の中に、それらの複数の一体化されたユニットを格納してもよい。そのような理解に基づいて、本発明の複数の技術的解決方法は、本質的に、或いは、先行技術に寄与する部分又はそれらの技術的解決方法のうちのすべて又は一部は、ソフトウェア製品の形態で実装されてもよい。ソフトウェア製品は、記憶媒体に格納され、複数の命令を含み、それらの複数の命令は、本発明の複数の実施形態において説明されている上記の複数の方法のステップのうちのすべて又は一部を実行するように、(パーソナルコンピュータ、サーバ、ネットワークデバイス等であってもよく、特に、コンピュータデバイスの中のプロセッサであってもよい)コンピュータデバイスに指示する。上記の記憶媒体は、プログラムコードを格納することが可能であるUSBフラッシュドライブ、取り外し可能なハードディスク、磁気ディスク、光ディスク、読み取り専用メモリ(Read-Only  Memory,  略称: ROM)、又は、ランダムアクセスメモリ(Random  Access  Memory,  略称:  RAM)等のいずれかの媒体を含んでもよい。
【０２１３】
上記の複数の実施形態は、本発明の複数の技術的解決方法を説明することを意図しているにすぎず、本発明を限定することを意図してはいない。本発明は、上記の複数の実施形態を参照して詳細に説明されてきたが、当業者は、本発明のそれらの複数の実施形態の複数の技術的解決方法の趣旨及び範囲から離れることなく、当業者が、さらに、上記の複数の実施形態において説明されているそれらの複数の技術的解決方法に修正を行い、或いは、それらの複数の技術的特徴のうちのいくつかに対して等価な置換を行うことが可能であるということを理解するはずである。
【図１】
0006882460.tif 000020
【図２】
0006882460.tif 000021
【図３】
0006882460.tif 000022
【図４】
0006882460.tif 000023
【図５】
0006882460.tif 000024